(57)【要約】      （修正有）【課題】医薬、医療または美容用途のための物質のための複数の容器を同時に保持するための保持構造、輸送ユニット、および該輸送ユニットを有する輸送または包装コンテナを提供する。【解決手段】複数の容器、器具を同時に保持するための保持構造であって、複数のレセプタクル５を有し、レセプタクルは、規則的な配列に配置されるとともに、周状に形成された側壁５１、５２によって形成され、１または２つの拡幅されたクリアランスを有し、拡幅されたクリアランスは、それ以外の領域における、レセプタクルに受け入れられた容器とレセプタクルの側壁との間の隙間の幅に比べて著しく大きく、レセプタクルに受け入れられた容器または器具にアクセスするためのスペースを追加的に利用可能にする。また、レセプタクルの幾何学的形状および配列により、包装密度の最適化や保持構造の非常に高い固有の剛性を達成することができる。【選択図】図４ａ
2020081872.tif 000002
【特許請求の範囲】
【請求項１】
医薬、医療もしくは美容用途のための物質のための複数の容器（６；６’；６０；６１）またはそのような容器を有する複数の器具を同時に保持するための保持構造であって、前記保持構造は、前記容器を受け入れるための複数のレセプタクル（５）を有し、
前記レセプタクル（５）は、規則的な配列に配置されるとともに、周状に形成された側壁（１０）によって形成され、
前記レセプタクル（５）は、前記容器または器具が前記レセプタクルに受け入れられている際に、前記容器または器具の側壁とそれぞれのレセプタクルの側壁（１０）との間に環状の隙間が形成されるように、前記容器または器具（６；６’；６０；６１）の外形に合わせられている保持構造において、
平面図で見て、前記レセプタクルは、点対称または鏡面対称の仮想的な基本形状から始まり、第１の方向（５３）に縮小されるとともに前記第１の方向（５３）に対して横方向の第２の方向に拡大され、その結果、前記隙間が前記レセプタクルの少なくとも１つの領域において拡幅され、前記レセプタクル（５）に受け入れられた前記容器または器具（６；６’；６０；６１）のハンドリングのための拡幅されたクリアランス（５６）が形成されていることを特徴とする、
保持構造。
【請求項２】
前記第１の方向（５３）での前記レセプタクル（５）の幅が前記第１の方向での前記仮想的な基本形状の幅よりも小さくなるとともに、前記第１の方向（５３）に対して横方向の前記第２の方向での前記レセプタクルの幅が前記第２の方向での前記仮想的な基本形状の幅よりも大きくなるように、前記レセプタクルは、前記第１の方向（５３）に縮小されるとともに、前記第１の方向（５３）に対して横方向の前記第２の方向に拡大されている、
請求項１記載の保持構造。
【請求項３】
前記レセプタクルは、六角形の基本形状を有するか、または、六角形の基本形状から派生しており、前記第２の方向での前記レセプタクル（５）の前記幅は、前記第１の方向（５３）での前記レセプタクル（５）の前記幅よりも少なくとも３０％だけ、より好ましくは少なくとも２２％だけ、より一層好ましくは少なくとも１７％だけ大きい、
請求項２記載の保持構造。
【請求項４】
前記拡幅されたクリアランス（５６）は、コーナ領域によって形成され、前記コーナ領域は、前記拡幅されたクリアランス（５６）を形成するために、平面図で見たときに、点（５４）に向かってまたは短い接続ウェブ（５５）に向かって収束角（α）で収束する２つの側壁（５０，５１）によって形成され、前記収束角は、０°＜α＜１１０°、より好ましくは０°＜α＜４５°、より一層好ましくは０°＜α＜３０°が当てはまる、
請求項２または３記載の保持構造。
【請求項５】
収束する前記側壁（５０，５１）は、前記レセプタクルの縦方向にいずれも延びかつ前記それぞれのレセプタクルのコーナ領域に配置された直線状のコーナ領域（５４）に収束するか、または、
収束する前記側壁（５０，５１）はいずれも、前記短い接続ウェブ（５５）と一緒に、前記レセプタクルの前記縦方向にいずれも延びかつ前記それぞれのレセプタクルのコーナ領域に配置されている直線状のコーナ領域を形成する、
請求項４記載の保持構造。
【請求項６】
側壁（１０；５０，５１）は、前記複数のレセプタクルのうち直接隣接するレセプタクル（５）の各対間の共通の分離壁として形成されている、
請求項１から５までのいずれか１項記載の保持構造。
【請求項７】
それぞれの前記共通の分離壁の高さ（Ｈ）は、前記対をなす前記直接隣接するレセプタクル（５）の軸線方向長さに実質対応し、それぞれの前記共通の分離壁は、前記高さ（Ｈ）の少なくとも８０％にわたって固体材料から形成されている、
請求項６記載の保持構造。
【請求項８】
前記レセプタクル（５）は、同一の基本形状であるとともに、ハンドリングのための拡幅されたクリアランス（５６）をいずれも有し、前記拡幅されたクリアランス（５６）は、コーナ領域（５４）に向かってまたは短い接続ウェブ（５５）に向かって収束するとともに収束する前記側壁（５０，５１）によって形成されており、前記レセプタクル（５ａ，５ｂ）は、いずれも、行と前記行に直交して延びる列とに沿って互いにオフセットして配置されており、前記列または前記行に沿って互いに直接隣接して配置された前記レセプタクルは、いずれも、前記列または前記行に関して鏡像式に配置されている（図１ｆ）、
請求項１から７までのいずれか１項記載の保持構造。
【請求項９】
平面図で見て、前記レセプタクル（５）は、いずれも、六角形の基本形状を有し、前記六角形の基本形状は、平面図で見て、収束する前記側壁（５０，５１）に比べて著しく短い２つの平坦な接続ウェブ（５２，５５）を有する、
請求項１から８までのいずれか１項記載の保持構造。
【請求項１０】
請求項１から９までのいずれか１項記載の保持構造（１）と、前記保持構造（１）に保持される、医薬、医療もしくは美容用途のための物質の複数の容器（６；６’；６０；６１）またはそのような容器を有する複数の器具と、の組合せからなる輸送ユニットであって、前記容器または前記器具は、前記レセプタクル（５）内の少なくとも特定の部分に受け入れられている、
輸送ユニット。
【請求項１１】
前記容器（６０，６１）は、円筒形設計であり、狭窄首部（６５）を有する上端部と、前記狭窄首部（６５）に隣接するとともに前記容器の円筒形の側壁（６２）に合流する肩部（６４）と、を有しており、前記レセプタクル（５）の下端部の保持突起（２２）間の開口幅は、前記容器が前記レセプタクル内に上下逆さまに受け入れられている際に、前記容器の前記上端部が前記保持突起の間の開口を貫通して延び、前記レセプタクル（５）内の前記容器の軸線方向の可動性を制限するために前記容器の前記肩部が前記保持突起（２２）上に直接支持されるように、前記容器の前記上端部の外径に合わせられている、
請求項１０記載の輸送ユニット。
【請求項１２】
前記容器または器具（６０；６１；６’）は、非円筒形の基本形状を有し、特に、円筒形の本体（６ａ）から側方に突出する側方延長部（６ｂ）を有する、
請求項１０記載の輸送ユニット。
【請求項１３】
周状の前記側壁（１０）の上縁部は、前記保持構造の上側に垂直な方向で局所的な最大部（５０２）と局所的な最小部（５０１）とを有する閉じられた滑らかな曲線を形成し、前記局所的な最小部（５０１）は、前記側方延長部（６ｂ）を受け入れるための拡幅されたクリアランス（５６）を形成するための、それぞれのレセプタクル（５）の互いに対向する２つの前記側壁（５０，５１）の収束領域に位置する、
請求項１２記載の輸送ユニット。
【請求項１４】
医薬、医療もしくは美容用途のための物質のための複数の容器（６０，６１）のためのまたはそのような容器を有する複数の器具のための輸送または包装コンテナであって、箱形設計の輸送または包装コンテナ（９０）において、
前記複数の容器または器具を前記輸送または包装コンテナ内に保持するために、請求項１から９までのいずれか１項記載の保持構造（１）が、前記保持構造に保持された前記容器と一緒に箱形の前記輸送または包装コンテナ内に受け入れられていることを特徴とする、
輸送または包装コンテナ。
【請求項１５】
医薬、医療もしくは美容目的のための複数の容器の無菌輸送のためのまたはそのような容器を有する複数の器具の無菌輸送のための無菌包装構造であって、請求項１０から１３までのいずれか１項記載の少なくとも１つの輸送ユニットを有するか、または、請求項１４記載の少なくとも１つの輸送または包装コンテナを有するとともに前記輸送または包装コンテナに受け入れられた前記容器または器具を有する、無菌包装構造において、
前記少なくとも１つの輸送ユニットまたは前記少なくとも１つの輸送または包装コンテナは、少なくとも１つの無菌外装袋に受け入れられ、周囲に対して無菌的に包装されており、好ましくは、前記少なくとも１つの無菌外装袋は、特にプラスチック繊維の、例えばポリプロピレン繊維（ＰＰ）などの交絡物によって形成されるガス透過性部分を有する、
無菌包装構造。
【発明の詳細な説明】
【技術分野】
【０００１】
本発明は、概して、医薬、医療または美容用途のための物質のための容器の処理に関し、特には、医薬、医療または美容用途のための物質のための複数の容器、例えば、バイアル、アンプルまたはカープル、あるいはそのような容器を有する複数のより複雑なアセンブリなどを同時に保持するための保持構造に関する。
【背景技術】
【０００２】
例えば、バイアル、アンプルまたはカープルなどの薬剤容器は、投与するための医療、医薬または美容調合品を、液体形態で、特に事前に適量に分けられた量で、保管するための容器として広く使用されている。これらの薬剤容器は一般に円筒形であり、プラスチックまたはガラスから生産でき、費用効果的な方法で大量に入手可能である。この点において、容器は、保持構造に入れられ、所定の幾何学的配列で医薬品製造業者にまたは後続の処理作業にますます届けられるようになっており、容器は、保持構造に保持されまたは受け入れられている間にさらに処理される。この目的のために、可能な限りスペースをとらない配列で容器を保持または受け入れる、費用効果的でかつ耐久性のある保持構造が要求されている。
【０００３】
中国特許出願公開第１０３３５９３４８号明細書には、複数の垂直位置決めペグが設けられた底部を有する、トラフ形状の保持トレイの形態の保持構造が開示されており、容器は、複数の垂直位置決めペグ間に相互に接触することなく受け入れられ得る。保持構造は、射出成形によりプラスチックから形成される。垂直位置決めペグは同時に、該位置決めペグによって形成されたレセプタクル内に容器を挿入するための案内部として機能する。しかしながら、容器は比較的大きな遊びをもって保持される。達成可能な容器の包装密度は比較的小さい。
【０００４】
国際公開第２０１２／１２６５８２号には、プレート状のキャリアを備える、シリンジ体のためのさらなる保持構造が開示されており、プレート状のキャリアには、周状に形成された側壁を有する複数の円筒形のレセプタクルが形成されている。シリンジ体は、その保持フランジによって円筒形のレセプタクルの上端部に載置される。キャリアを強固にするため、円筒形のレセプタクルは、キャリアの下側の接続ウェブを介して互いに接続されている。円筒形のレセプタクル間の距離は比較的大きく、その結果、この保持構造によって達成可能な包装密度は最適ではない。
【０００５】
国際公開第２０１４／１３０３４９号には、同等の保持構造が開示されている。
【０００６】
国際公開第２０１７／０３８８７８号には、プレート状のキャリアを有するさらなる保持構造が開示されており、プレート状のキャリアには、周状に形成された側壁を有する複数の円筒形のレセプタクルが形成されている。円筒形のレセプタクルは互いに比較的短い距離で配置されるが、そのために、互いに比較的短い距離で２つの側壁を生産する必要がある。プラスチック射出成形による生産中、これは、非常に薄壁で壊れやすい、冷却が困難なリブ状の外形を必要とさせる。これは、さらには、金型の設計において、非常に複雑で、したがって高価な金型につながる。その上、このような設計は、射出成形に使用される金型の耐用年数に悪影響を与える可能性もある。これらの繊細な構造は、射出成形中に、仮に可能であったとしても、非常に大きな労力をかけてしか冷却できないため、この設計は生産プロセスのサイクルタイムにも悪影響を及ぼし、単位生産費の高騰を招く。
【０００７】
本出願人の独国実用新案第２０２０１６１０７２０９号明細書には、前述のタイプのさらなる保持構造が開示されており、保持構造の内部レセプタクルは、軸線方向に延びる位置決めシリンダと、該位置決めシリンダを互いに接続する分離ウェブによって形成されている。この配置は容器のより高い包装密度を可能にするが、プラスチック射出成形による保持構造の生産は比較的複雑である。
【０００８】
本出願人の未公開の独国特許出願第１０２０１７１０１３９８．９号には、レセプタクルが比較的薄い分離および接続ウェブによって形成されるさらなる保持構造が開示されており、該保持構造は、プラスチック射出成形による保持構造の生産を比較的複雑にする。
【０００９】
２０１８年５月１４日に出願された本出願人の独国特許出願第１０２０１８１１１４９１．５号「医薬、医療または美容用途のための物質のための複数の容器を同時に保持するための保持構造、輸送ユニット、および該輸送ユニットを有する輸送または包装コンテナ」には、医薬、医療または美容用途のための物質のための複数の容器を同時に保持するための、該容器を受け入れるための複数のレセプタクルを有する保持構造が開示されており、レセプタクルは、規則的な配列で配置されており、平面図で見たとき、レセプタクルは多角形設計である。ここで、レセプタクルは側壁によって形成されるとともにいずれも周状であり、複数のレセプタクルのうち直接隣接するレセプタクルの各対間には、共通の分離壁としての側壁が形成されている。
【００１０】
多くのさまざまな理由により、従来技術によれば、通常、周状の側壁によってレセプタクルが形成された保持構造が使用されている。円筒形の基体を有する容器を保持するために、ここでのレセプタクルは、独国特許出願公開第１９８１５９９３号明細書に開示されているように、常に、円形の基本形状、または四角形の基本形状、すなわち正方形または長方形の基本形状、または六角形の基本形状のいずれかを有する。
【００１１】
図１ａは、従来技術に従う保持構造１００の六角形に形成されたレセプタクル１０１内の、円筒形の基体を有する保持容器１０２の幾何学的形状を要約したものである。レセプタクルの６つのコーナの各々において、２つの隣接する側壁１０５，１０６はいずれも、破線で示すように、角度θ＝６０°で収束する。ここで、比較的狭い隙間１０４だけが、容器１０２の円筒形の側壁とレセプタクル１０１の側壁１０５，１０６との間に残され、その隙間の幅は、保持構造１００の包装密度を最適化するという理由で一般に最小化され、また、この隙間の幅は、一般に、レセプタクル１０１内に容器１０２を挿入かつ位置決めするのに役立つ、側壁１０５，１０６上の案内リブの長さによって定められている。
【００１２】
四角形または六角形の基本形状を有するレセプタクル１０１の場合、この隙間１０４の最大幅は、側壁１０５，１０６上の案内リブの長さに実質対応する三角形の高さによって形成される。円形の基本形状を有するレセプタクル１０１の場合、受け入れられた容器１０２の外周に沿ったこの隙間１０４の幅は一定であり、側壁１０５，１０６上の案内リブの長さによって定められる。
【００１３】
これは、前述のタイプの保持構造のレセプタクル内に受け入れられている容器へのアクセスおよび該容器のハンドリング（例えば持上げや除去）のために、補助的なツールを係合させるための特定の手段を設けなければならないことを意味し、該特定の手段は、保持構造の安定性をしばしば低下させる。
【００１４】
六角形に形成されたレセプタクルを有する保持構造に共通することは、レセプタクル１０２のコーナ領域で収束する、直接隣接する側壁１０５，１０６が、図１ａに破線で示すように、鈍角θ＝１２０°を囲むことである。八角形に形成されたレセプタクル１０２の場合、直接隣接する側壁１０５，１０６は角度θ＝１３５°を囲む。正方形または長方形のレセプタクルの場合、直接隣接する側壁１０５，１０６は、対照的に、直角（θ＝９０°）を囲む。
【００１５】
したがって、例えば、独国特許出願公開第１０２００９０２７４５４号明細書には、その下側に複数の円筒形のレセプタクルが形成されたプレート状のキャリアプレートを有する保持構造が開示されており、該複数の円筒形のレセプタクルは、キャリアプレートで始まり、まず、周状の側壁によってレセプタクルの下端部にまで形成され、しかしながら、縦方向スロットが２つの正対する側に形成され、該縦方向スロットは、レセプタクル内の１行の容器を持ち上げるための帯状ツールの係合を可能にする。したがって、レセプタクルの側壁は、下端部において周状に形成することができず、レセプタクルの機械的な安定性を低下させるとともに、特に、レセプタクルに対して垂直に作用する力が容器に加わった際に、レセプタクルの開拡を招くおそれがある。
【００１６】
したがって、前述のタイプの保持構造の生産の改善に対するさらなる要求がある。
【００１７】
発明の概要
本発明の目的は、医薬、医療または美容用途のための物質のための複数の容器を同時に保持するための改善された保持構造であって、簡単かつ費用効果的に生産することができ、しかも有利に高い剛性および容器の高い包装密度を可能にする改善された保持構造を提供することである。それと同時に、保持構造のレセプタクル内に容器を挿入できるとともに、そこから再び容器を単純かつ確実に取り除くこともできるようにしなければならない。本発明のさらなる態様は、輸送ユニットあるいは輸送または包装コンテナに関し、また、そのような保持構造を有する無菌包装構造に関する。
【００１８】
これらの目的は、請求項１に従う保持構造、請求項２１に従う輸送ユニット、請求項２５に従う輸送または包装コンテナ、および請求項２７に従う無菌包装構造によって達成される。さらなる有利な実施形態は、上記請求項を引用する従属請求項の主題を形成する。
【００１９】
本発明によれば、医薬、医療もしくは美容用途のための物質のための複数の容器、またはそのような容器を有する複数の器具を同時に保持するための保持構造であって、容器または器具を受け入れるための複数のレセプタクルを有し、該レセプタクルが規則的な配列に配置されており、また、レセプタクルが周状に形成された側壁によって形成されている、保持構造が提供される。ここで、レセプタクルは、容器または器具がレセプタクルに受け入れられている際に、該容器または器具の側壁とレセプタクルの周状に形成された側壁との間に環状の隙間が形成されるように、容器または器具の外形に合わせられている。この目的のために、上述の隙間は、特に、レセプタクル内へ半径方向内向きに延びる案内および位置決めリブによって正確に予め定めることができる。ここで、この環状の隙間の幅は、特定の部分において、例えばいくつかの点状の領域で、無限小であり得る。
【００２０】
本発明によれば、平面図で見て、レセプタクルは、点対称または鏡面対称の仮想的な基本形状から始まり、第１の方向に縮小されるとともに該第１の方向に対して横方向の第２の方向に拡大され、その結果、上記隙間がレセプタクルの少なくとも１つの領域において拡幅され、レセプタクルに受け入れられた容器または器具のハンドリングのための拡幅されたクリアランスが形成されている。少なくとも１つの拡幅されたクリアランスは、レセプタクルに受け入れられた容器または器具のハンドリングを大幅に容易にすることができる。なぜならば、レセプタクルに受け入れられている容器または器具へは、ツールなどを用いて大幅に、より簡単にアクセス可能となっているからである。
【００２１】
点対称または鏡面対称の仮想的な基本形状は、特に、円形または正ｎ角形（ここでｎは４以上）とすることができる。ここで、平面図で見て、レセプタクルの形状は、非点対称とすることができる。しかしながら、原理的には、レセプタクルの点対称の基本形状も考えられ、特に、点対称ではないが鏡面対称のレセプタクルも考えられる。
【００２２】
点対称性は、通常のレセプタクルによっていずれも形成される幾何学図形（例えば、通常のｎ角形または円形）に常に見つけることができ、この点対称性はこの図形自体に投影されるが、そのような対称中心は、本発明に従うレセプタクルにおいては、必ずしも見つけることはできない。
【００２３】
前述の隙間は、便宜的には、レセプタクルに受け入れられた容器または器具とレセプタクルの側壁との間に一定の隙間幅を有し、便宜的には、案内および位置決めリブによって正確に予め定められており、その一方で、その隙間幅は、ツールなどによって容器または器具へのアクセスを可能とするために、拡幅されたクリアランスを有する１つの端部領域でのみまたは２つの端部領域でのみ非常に大きくなる。ここで、それぞれの拡幅されたクリアランスの領域では、レセプタクルの幾何学的形状は、該レセプタクルの他のすべての領域の幾何学的形状とは大幅に異なる。レセプタクルは、例えば、主に放射対称のまたは点対称のまたは鏡面対称の基本形状、例えば、円形、四角形または六角形の基本形状を有するが、それぞれの拡幅されたクリアランスの形状は、該レセプタクルの他のすべての部分におけるこの基本形状の幾何学的形状とは大幅に異なる。
【００２４】
本発明によれば、レセプタクルのこの幾何学的形状により、レセプタクルに収容された容器または器具のハンドリングのための該容器または器具への最適なアクセス性と併せて、非常に高い面積使用指数（包装密度）を実現することが可能になる。円形の基本形状または正多角形の基本形状とは異なるレセプタクルの基本形状によって、本発明によれば、非対称に形成された大きな容器（例えば、マイクロインジェクタなどのためのサブアセンブリ）の受け入れにも利用可能な十分なスペースがもたらされ、本発明によれば、利用可能な拡幅されたクリアランスによってそのハンドリングが容易になる。
【００２５】
例えば、輸送および包装コンテナの内部、保持構造、ならびに該保持構造に保持された容器または器具の内容積を、輸送および包装コンテナ内へのガスの流入によって滅菌することを意図する場合、拡幅されたクリアランスはさらに、容器または器具を保持した保持構造を受け入れる輸送および包装コンテナ内のガス交換のための追加の流路を利用可能とする。
【００２６】
ここで、第１の方向でのレセプタクルの幅が該第１の方向での仮想的な基本形状の幅よりも小さくなるとともに、第１の方向に対して横方向の第２の方向でのレセプタクルの幅が該第２の方向での仮想的な基本形状の幅よりも大きくなるように、レセプタクルは、便宜的に、第１の方向に縮小されるとともに該第１の方向に対して横方向の第２の方向に拡大されている。ここで、レセプタクルの基本形状を決定する縮小係数および拡大係数は、原理的には、同一とすることができ、でなければ異ならせることができる。
【００２７】
さらなる実施形態によれば、第１の方向でのレセプタクルの幅が第１の方向での仮想的な基本形状の幅よりも小さくなるとともに、第１の方向に対して横方向の第２の方向でのレセプタクルの幅が第２の方向での仮想的な基本形状の幅よりも大きくなるように、レセプタクルは、便宜的に、第１の方向に縮小されるとともに、該第１の方向に対して横方向の第２の方向に拡大されている。ここで、レセプタクルの基本形状を決定する縮小係数および拡大係数は、原理的には、同一とすることができ、でなければ異ならせることができる。
【００２８】
さらなる実施形態によれば、レセプタクルは、六角形の基本形状を有するか、または六角形の基本形状から派生しており、第２の方向でのレセプタクルの幅は、第１の方向でのレセプタクルの幅よりも少なくとも３０％だけ、より好ましくは少なくとも２２％だけ、より一層好ましくは少なくとも１７％だけ大きい。本発明によれば、レセプタクルの幾何学的形状は、正六角形の幾何学的形状とは明らかに異なり、その最小幅と最大幅との比率はおおよそ１：１．１６である。
【００２９】
さらなる実施形態によれば、第１の方向に沿って互いに対向して位置する、レセプタクルの頂部に近い隙間の幅は無限小であるか、または第２の方向に沿って互いに対向して位置する、レセプタクルのコーナ領域または端部領域に近い隙間の幅よりも小さく、直前に述べた幅は、レセプタクルの前述の拡大係数の選択を介して、簡単に決定することができる。
【００３０】
さらなる実施形態によれば、レセプタクルは、六角形の規則的な配列に分散式に配置され、容器間または器具間の拡幅されたクリアランスは、周囲の容器または器具に対して非対称的に割り当てられている。該クリアランスは、クリアランスの他のすべての部分の通常の幾何学的形状とは異なるため、本発明によれば、レセプタクルに収容された容器または器具のハンドリングのために、該容器または器具へのアクセスを可能にするための拡幅されたクリアランスを提供することができる。
【００３１】
前述の第１の態様とは独立して特許請求することができるが、それと組み合わせることもできる本発明のさらなる態様によれば、拡幅されたクリアランスは、コーナ領域によって形成され、該コーナ領域は、拡幅されたクリアランスを形成するために、平面図で見たときに、点にまたは短い接続ウェブに或る収束角で収束する２つの側壁によって形成され、該収束角には以下が当てはまる：０°＜α＜１１０°、より好ましくは０°＜α＜４５°、より一層好ましくは０°＜α＜３０°。
【００３２】
言い換えると、それぞれの拡幅されたクリアランスの領域では、拡幅されたクリアランスの頂角は、保持構造のレセプタクルのための基本形状として用いられている、従来技術に従う正六角形（α＝１２０°）、八角形（α＝１３５°）または十二角形（α＝１６０°）の幾何学的形状に対応する頂角よりも小さい。したがって、拡幅されたクリアランスを形成するために、レセプタクルに受け入れられた容器または器具と、関連するレセプタクルの側壁との間の前述の隙間は、レセプタクルの１つの領域または２つの領域において半径方向外向きに伸張されまたは拡大されており、該拡幅されたクリアランスは、レセプタクルに受け入れられた容器または器具のハンドリングを、特に、ツール、例えば把持ツールや容器または器具を持ち上げるためのツールをこのようにして設けられた拡幅されたクリアランス内に挿入することによって、大幅に簡単にする。
【００３３】
レセプタクルの幾何学的形状は、１つの拡幅されたクリアランスまたは２つの拡幅されたクリアランスを除いて、他のすべての領域で、単純な幾何学的形状、例えば円筒形の基本形状に、点対称の幾何学的形状に、鏡面対称の対称形状に、または正多角形（特に六角形または八角形）の対称形状に対応した単純な幾何学的形状に便宜的には対応させることができるのに対し、それぞれの拡幅されたクリアランスの幾何学的形状は、前述の半径方向外向きの拡大または伸張によって、他のすべての領域におけるこの幾何学的形状とは大幅に異なる。
【００３４】
さらなる実施形態によれば、レセプタクルの収束する側壁は、レセプタクルの縦方向にいずれも延びかつそれぞれのレセプタクルのコーナ領域に配置された直線状のコーナ領域に収束することができるか、または収束する側壁はいずれも、短い接続ウェブと一緒に、レセプタクルの縦方向にいずれも延びかつそれぞれのレセプタクルのコーナ領域に配置される直線状のコーナ領域を形成することができる。レセプタクルの幾何学的形状のこの単純な変更によって、レセプタクルに受け入れられた容器または器具のハンドリングのための拡幅されたクリアランスを簡単な方法で達成することができる。それにもかかわらず、保持構造は、費用効果的にしかも比較的単純に設計された成形ツールを用いて生産することができ、有利に高い包装密度を同時に達成することができる。
【００３５】
さらなる実施形態によれば、レセプタクルは互いに直接隣接することができ、側壁は、複数のレセプタクルのうち直接隣接するレセプタクルの各対間の共通の分離壁として形成されており、これにより包装密度を最適化することができる。共通に使用される分離壁によって、繊細な二重壁構造を効果的に回避でき、プラスチックからの射出成形による生産を大幅に簡単にする。したがって、本発明によれば、金型設計において冷却するのが困難な、薄壁で壊れやすいリブ状の外形を回避することができ、その結果、金型の耐用年数が長くなる。さらに、生産プロセスのサイクルタイムを著しく短縮でき、単位生産費を削減することができる。
【００３６】
分離壁は、特に、比較的薄壁に形成することができ、それにもかかわらず、保持構造の高い固有の剛性を実現することができる。これにより、材料の使用量の削減と相まって比較的軽量の保持構造および低生産コストが可能になる。
【００３７】
それと同時に、すべての側壁が、レセプタクルのコーナ領域によって互いに直接接続され、かつ協働して対称性の高い中空ハニカム構造であって、保持構造のプレート状の上側から垂直に突出する側壁によって形成された中空ハニカム構造を形成するため、保持構造の非常に高い固有の剛性を達成することができる。
【００３８】
共通の分離壁は、本発明の文脈において、分離壁が、断面で見て、いずれも一体にかつ実質的な途切れ部を有することなく形成されていることを意味すると特に理解されるべきである。ここで、それぞれの共通の分離壁の高さは、直接隣接する２つのレセプタクルの軸線方向長さに実質対応し、その結果、それぞれの共通の分離壁は、好ましくはこの高さの少なくとも８０％にわたって、固体材料から形成されている。
【００３９】
さらなる実施形態によれば、レセプタクルの側壁は、いずれも平面状の平坦な分離壁として形成されており、直接隣接するレセプタクルの側壁は、該レセプタクルの縦方向にいずれも延びるとともにそれぞれのレセプタクルのコーナ領域に配置された接続領域に収束する。その結果、例えばレセプタクルの六角形配列の場合、平面図で見ると、高い対称性に形成された接続領域は星形となる。これにより、力の高度な対称放散が可能になり、その結果、保持構造の固有剛性が有利に高くなる。
【００４０】
さらなる実施形態によれば、レセプタクルはいずれも、平面図で見て対称軸線に関して鏡面対称に形成されており、少なくとも１つの拡幅されたクリアランスは、対称軸線に直交する方向に形成され、レセプタクルの側壁と該レセプタクルに受け入れられた容器または器具との間に大幅により小さな開口幅を有する小さなクリアランスは、対称軸線の延在方向に形成される。
【００４１】
さらなる実施形態によれば、平面図で見て、レセプタクルの側壁の２つの頂点は、前述の対称軸線上にあり、または前述の対称軸線は、平面図で見て、平坦化されたもしくは対称的に凹状に湾曲した側壁と直角に交差する。ここで、レセプタクルの中央部分は、受け入れられた容器または器具とレセプタクルの側壁との間に狭い端部隙間をもつ幾何学的形状を有し、該端部隙間は、便宜的には、案内および位置決めリブによって定められ、一定の隙間幅を有する。それと同時に、ここでは、少なくとも１つの拡幅されたクリアランスの幾何学的形状がこの幾何学的形状とは大幅に異なり、その結果、高い包装密度を有する場合でも、容器または器具のハンドリングのために、ツールなどによる容器または器具への非常に良好なアクセス性を達成することができる。
【００４２】
さらなる実施形態によれば、平面図で見て、収束する側壁はいずれも、弧の形で凹状に湾曲している。したがって、収束する側壁は、コーナ領域で集まるか、またはそれぞれの拡幅されたレセプタクルの短い接続ウェブに、無視できるほどの収束角（α＝０°）で、すなわち互いに平行に集まる。ここで、接続ウェブの長さは、容器または器具を受け入れる部分の開口幅よりも大幅に小さい。
【００４３】
さらなる実施形態によれば、レセプタクルはいずれも、互いに対向するコーナ領域または収束する側壁の短い接続ウェブに形成された、ハンドリングのための２つの拡幅されたクリアランスを有する。したがって、レセプタクルはいずれも、中心線に関して鏡面対称に形成される。したがって、レセプタクルに受け入れられた容器または器具は、そのハンドリングのために、２つのクリアランスからツールによって、例えば、ツールの把持アームによってハンドリングすることができ、該把持アームはいずれも、拡幅されたクリアランスの１つに引き込まれ、そしてレセプタクルに収容された容器または器具に側方から作用する。
【００４４】
さらなる実施形態によれば、レセプタクルは同一の基本形状であるとともに、ハンドリングのための拡幅されたクリアランスをいずれも有し、該拡幅されたクリアランスは、コーナ領域にまたは短い接続ウェブに収束するとともに収束する側壁によって形成されており、レセプタクルはいずれも、行と該行に直交して延びる列とに沿って互いにオフセットして配置されており、列または行に沿って互いに直接隣接するレセプタクルはいずれも、列または行に関して鏡像式に配置されている。言い換えると、レセプタクルは、いずれも反対方向に交互に拡大または伸張され、かついずれも反対向きに組み合わされて保持構造を形成する。したがって、特に、容器または器具を受け入れるために、側方にまたは中央のレセプタクルから半径方向に離れるように拡大されまたは伸張された拡幅されたクリアランスを１つだけ有するレセプタクルの場合、本発明によれば、レセプタクルに受け入れられた容器または器具への、それらのハンドリングのための改善されたアクセスを有しつつ、非常に高い包装密度を達成することが可能である。
【００４５】
さらなる実施形態によれば、平面図で見て、レセプタクルはいずれも、六角形の基本形状を有し、該六角形の基本形状は、平面図で見て、収束する側壁に比べて著しく短い２つの平坦な接続ウェブを有する。ここで、直接隣接するレセプタクルの接続ウェブは、両レセプタクルによって使用される共通の分離壁を形成することもでき、これにより、より高い包装密度が可能になる。それと同時に、ここでは、接続ウェブを、前述の対称軸線に、または容器または器具を受け入れる中央のレセプタクルの中心線に整列させることができる。この配置は、高い包装密度と保持構造の非常に高い固有の剛性とを同時に可能にする。
【００４６】
さらなる実施形態によれば、保持構造はさらに、保持構造の上側を形成するプレート状のキャリアを有しており、側壁およびレセプタクルは、プレート状のキャリアから垂直に突出する。これは、保持構造の固有の剛性をさらに増大させる。
【００４７】
さらなる実施形態によれば、周状の側壁の上縁部は、保持構造の上側に垂直な方向で少なくとも１つの局所的な最大部と少なくとも１つ局所的な最小部とを有する閉じられた滑らかな曲線を形成し、それぞれの局所的な最小部は、拡幅されたクリアランスがそれぞれ割り当てられた領域に位置する。したがって、周状の側壁の上縁部には、非対称基本形状を有する容器または器具の角度配向を可能にする一種のスライドまたは傾斜面が形成される。そのような容器または器具は、第１の方向において、該第１の方向に直交する方向よりも幅広であり、該容器または器具は、レセプタクルへの挿入中に、上方から垂直方向で自動的に案内されるとともに、容器または器具が幅広である第１の方向が、レセプタクルが幅広であるレセプタクルの方向と平行になるように自動的に配向されるように回転させられる。これにより、容器または器具の回転配向の自動的な角度決めが可能になる。
【００４８】
さらなる実施形態によれば、側壁の、保持構造の上側に面する上端部は、弧の形で凹に湾曲した輪郭を有し、したがって、保持構造の垂直上方からレセプタクルへの容器または器具の挿入を容易にする漏斗状である。ここで、特に、側壁の上端部は、保持構造の上側からどの地点でも突出していない。これにより、側壁の上端部の望ましくない詰まりが回避されるため、スペースを節約した、保持構造の互いに上下への積重ねが容易になる。
【００４９】
さらなる実施形態によれば、側壁上には案内リブが形成され、該案内リブは、レセプタクルの縦方向に延びるとともに、レセプタクルの上端部内への容器または器具のねじ込みまたは挿入を支援する。ここで、保持構造の上側からレセプタクル内への容器または器具の挿入をさらに容易にするために、案内リブの上端部に、案内リブに対して傾斜している挿入傾斜を形成することができる。
【００５０】
さらなる実施形態によれば、案内リブは、それぞれのレセプタクルの幾何学的中心に向かう方向でレセプタクル内に内向きに突出し、その結果、容器または器具を、レセプタクルの側壁から離して中央受け入れ領域に位置させることができ、少なくとも１つの拡幅されたクリアランスは、この中央受け入れ領域から側方に突出している。案内リブのこの最適化された設計により、容器または器具の低摩耗挿入が容易になる。ここで、案内リブは、便宜的には、それぞれのレセプタクルの中央受け入れ領域の幾何学的中心に向かう方向で、レセプタクル内に内向きに突出する。
【００５１】
さらなる実施形態によれば、容器をレセプタクル内に保持し、かつレセプタクルの下端部へ向かう、レセプタクル内での容器または器具の軸線方向の可動性を制限するために、レセプタクルの下端部に保持部が設けられている。原理的には、この目的のために、それぞれのレセプタクルの下端部の適切な位置に配置された保持部で十分である。いずれも場合も２つの保持部は、レセプタクルの下端部上で互いに正対して位置している。しかしながら、原理的には、保持部は、それぞれのレセプタクルの円周に沿ってその下端部に１つ以上の途切れ部を有する周縁または実質的に周縁になるように設計することもできる。
【００５２】
本発明によれば、特に、非常に高い包装密度が達成される長い、薄いまたは細長い容器の場合には、移動自由度がますます制限された容器間のガラス同士の接触は起こり難くなるため、レセプタクル内での容器または器具の非常に正確な位置決めおよび案内が可能である。
【００５３】
レセプタクル内の容器または器具の大幅に制限された移動自由度によって、必要な案内長さも大幅に削減するができる。これは、例えばカープルやシリンジのような、例えば長い、薄いまたは細長い容器で、特に小さいサイズの容器の場合に関連し、なぜならば、これらは、下半分までしかレセプタクル内に挿入できないことが多いためである。本発明によれば、容器または器具の非常に正確な位置決めおよび案内により、それにもかかわらず、ガラス同士の接触がないことを確実に保証することができる。したがって、本発明によれば、材料も節約することができる。
【００５４】
さらなる実施形態によれば、容器または器具の上端部または下端部がレセプタクルから突出し、それによって保持構造の上方から自由にアクセスできるように、レセプタクルの長さは、容器または器具の長さに合わせられている。これは、容器または器具が、レセプタクル内に受け入れられているとともに保持構造上に保持されている間に、容器または器具のさらなる加工（ｐｒｏｃｅｓｓｉｎｇ）または処理（ｔｒｅａｔｍｅｎｔ）のために使用することができる。例えば、保持構造（いわゆるネスト（ｎｅｓｔ））は、保持構造上に保持された容器または器具の中に充填開口を介して物質が充填される間に、または容器または器具が保持構造上に保持されている間に容器または器具の端部内に、容器または器具を閉鎖するための栓または他の適切な閉鎖要素が圧入される間に、またはレセプタクルから突出する端部が、容器または器具を把持し該容器または器具をレセプタクルから除去するために使用され得る間に、加工（ｐｒｏｃｅｓｓ）ステーションの保持フレーム、例えば医薬充填装置に一時的に保持されることができる。
【００５５】
本発明のさらなる態様によれば、容器またはそのような容器を有する器具のための輸送ユニットが提供され、該輸送ユニットは、上述した保持構造と、該保持構造に保持された、医薬、医療もしくは美容用途のための物質のための複数の容器またはそのような容器を有する複数の器具と、の組合せからなり、容器または器具は、上述したように、保持構造のレセプタクル内の少なくとも特定の部分に受け入れられ、保持構造上に軸線方向で固定式に保持されている。この目的のため、バイアル、カープルまたは同等の医薬容器、あるいは例えばサブアセンブリや自己治療のためのマイクロインジェクションなどの、そのような容器を収容する複雑な医療器具を保持するために、保持構造を、特に、いわゆるネストとして形成することができる。レセプタクルはいずれも、少なくとも１つの拡幅されたクリアランス、好ましくは、レセプタクルの正対するコーナ領域に位置する２つの拡幅されたクリアランスを有するため、外形が非円形の、特に１つ以上の半径方向突出部を有する医薬容器または複雑な医療器具も受け入れることができる。
【００５６】
さらなる実施形態によれば、容器または器具は円筒形に形成され、特に、円筒形のカープルまたはバイパスを有するカープルとして形成され、これらの容器または器具は、狭窄首部を有する上端部と、狭窄首部に隣接するとともに容器の円筒形の側壁に合流する肩部とを有しており、レセプタクルの下端部の保持突起間の開口幅は、容器がレセプタクル内に上下逆さまに受け入れられている際に、容器の上端部が保持突起の間の開口を貫通して延び、レセプタクル内の容器の軸線方向の可動性を制限するために容器の肩部が保持突起上に直接支持されるように、容器の上端部の外径に合わせられている。
【００５７】
本発明のさらなる態様によれば、医薬、医療もしくは美容用途のための物質のための複数の容器のための、またはそのような容器を有する複数の器具のための輸送または包装コンテナが提供され、該輸送または包装コンテナは、箱形であり、複数の容器または器具を輸送または包装コンテナ内に保持するために、上述のように、いわゆるネストとして形成された保持構造が、該保持構造に保持された容器または器具と一緒に箱形の輸送または包装コンテナ内に受け入れられている。
【００５８】
ここで、輸送または包装コンテナは、ガス透過性プラスチックフィルムを介したガスの流入による容器または器具の滅菌を可能にするため、特にガス透過性プラスチックフィルムによって、特にプラスチック繊維のガス透過性交絡物から形成されたプラスチックフィルムによって閉鎖または密封することができ、特に、プラスチックフィルムはＴｙｖｅｋ（登録商標）フィルムである。
【００５９】
さらなる態様によれば、ガス透過性プラスチックフィルムを介したガスの流入による容器または器具の滅菌を可能にするため、輸送または包装コンテナは、特にガス透過性プラスチックフィルムによって、特にプラスチック繊維のガス透過性交絡物から形成されたプラスチックフィルム、好ましくは高密度ポリエチレン繊維から形成されたプラスチックフィルムによって閉鎖または密封することができ、特に、プラスチックフィルムはＴｙｖｅｋ（登録商標）フィルムである。
【００６０】
無菌輸送および保管のため、少なくとも１つの上述した輸送ユニットを有するか、または少なくとも１つの上述した輸送または包装コンテナを有するとともに該輸送または包装コンテナに受け入れられた容器または器具を有する無菌包装構造がさらに提供され、少なくとも１つの輸送ユニットまた少なくとも１つの輸送または包装コンテナは、少なくとも１つの無菌外装袋に受け入れられ、周囲に対して無菌的に包装されている。ここで、少なくとも１つの無菌外装袋は、特に、例えばポリプロピレン繊維（ＰＰ）などのプラスチック繊維の交絡物によって形成されたガス透過性部分を有することができる。
【００６１】
本発明は、例として、添付の図面を参照して以下に説明され、さらなる特徴、利点および達成されるべき目的を明らかにする。
【図面の簡単な説明】
【００６２】
【図１ａ】従来技術に従う保持構造の詳細を示す概略平面図である。
【図１ｂ】本発明の第１の実施形態に従う保持構造の詳細を示す概略平面図である。
【図１ｃ】本発明のさらなる実施形態に従う保持構造のレセプタクルの基本形状の例を示す図である。
【図１ｄ】本発明のさらなる実施形態に従う保持構造のレセプタクルの基本形状の例を示す図である。
【図１ｅ】本発明のさらなる実施形態に従う保持構造のレセプタクルの基本形状の例を示す図である。
【図１ｆ】本発明のさらなる実施形態に従う保持構造の詳細を示す概略平面図である。
【図１ｇ】本発明に従う保持構造のレセプタクルの四角形の基本形状のさらなる例を示す図である。
【図１ｈ】本発明に従う保持構造のレセプタクルの四角形の基本形状のさらなる例を示す図である。
【図１ｉ】本発明に従う保持構造のレセプタクルの四角形の基本形状のさらなる例を示す図である。
【図１ｊ】本発明に従う保持構造のレセプタクルの四角形の基本形状のさらなる例を示す図である。
【図２ａ】図１ｄに従う基本形状をもつ複数のレセプタクルを有する、本発明のさらなる実施形態に従う保持構造を示す平面図である。
【図２ｂ】図２ａに従う保持構造を示す平面斜視図である。
【図２ｃ】図２ａに従う保持構造を示す側面図である。
【図２ｄ】図２ａに従う保持構造を下側から示す斜視図である。
【図２ｅ】図２ａに従う保持構造を下側から示す、大きく拡大された部分図である。
【図３ａ】図２ａに従う保持構造と、意図されたとおり該保持構造上に保持された複数のカープルと、の組合せを示す概略平面図である。
【図３ｂ】図３ａに従う組合せを下側から示す拡大斜視部分図である。
【図３ｃ】輸送および包装コンテナ内の図３ａに従う組合せの受け入れを示す概略部分断面図である。
【図４ａ】図２ａに従う保持構造と、意図されたとおり該保持構造上に保持された複数の複雑な医療アセンブリと、の組合せを示す平面斜視図である。
【図４ｂ】図３ａに従う組合せを下側から示す斜視図である。
【図５ａ】本発明のさらなる実施形態に従う保持構造のレセプタクル内のバイパスカープルの保持を示す概略部分平面図である。
【図５ｂ】本発明のさらなる実施形態に従う保持構造のレセプタクル内のバイパスカープルの保持を示す平面斜視図である。
【図５ｃ】図５ａおよび図５ｂの例示的な実施形態に従う保持構造のレセプタクルを、バイパスカープル無しで示す図である。
【図６ａ】図２ａに従う保持構造と、意図されたとおり該保持構造上に保持された複数のシリンジ体と、の組合せを示す平面斜視図である。
【図６ｂ】図６ａに従う組合せを下側から示す斜視図である。
【図７ａ】図２ａに従う保持構造と、意図されたとおり該保持構造上に保持された複数のバイアルと、の組合せを示す平面斜視図である。
【図７ｂ】図７ａに従う組合せを示す底面図である。
【図８ａ】図３ａに従う組合せにおけるカープルの、ツールによる持ち上げであって、本発明に従って、カープルに割り当てられたレセプタクルのクリアランス内に引き込まれるツールによる持ち上げを示す平面斜視図である。
【図８ｂ】図８ａに従う組合せにおけるカープルの支持を、該カープルの持ち上げ前に示す部分斜視断面図である。
【図８ｃ】図８ａに従う組合せにおけるカープルの支持を、該カープルの持ち上げ状態で示す部分斜視断面図である。
【図９ａ】側方延長部を有する容器を、本発明のさらなる実施形態に従う保持構造のレセプタクル内に挿入する間の順次異なる段階を示す図である。
【図９ｂ】側方延長部を有する容器を、本発明のさらなる実施形態に従う保持構造のレセプタクル内に挿入する間の順次異なる段階を示す図である。
【図９ｃ】側方延長部を有する容器を、本発明のさらなる実施形態に従う保持構造のレセプタクル内に挿入する間の順次異なる段階を示す図である。
【図９ｄ】側方延長部を有する容器を、本発明のさらなる実施形態に従う保持構造のレセプタクル内に挿入する間の順次異なる段階を示す図である。
【図９ｅ】側方延長部を有する容器を、本発明のさらなる実施形態に従う保持構造のレセプタクル内に挿入する間の順次異なる段階を示す図である。
【図９ｆ】この実施形態に従う保持構造のレセプタクル内の、側方延長部を有する容器を、該容器がレセプタクル内に最終的に保持されているときに示す図である。
【図９ｇ】この実施形態に従うレセプタクルを示す平面斜視図である。
【図９ｈ】この実施形態に従うレセプタクルを下側から示す斜視図である。
【００６３】
実施形態の詳細な説明
図において、同一の参照番号は、同一または実質的に同一に作用する要素または要素のグループを示す。
【００６４】
図１ｂは、本発明の第１の実施形態に従う保持構造１の詳細を概略平面図で示している。保持構造１は、規則的な配列（アレイ）に配置されるとともに医薬容器、特にバイアル、カープルまたはシリンジ体の受け入れ部として、あるいはそのような医薬容器を内部に有するより複雑に設計されたアセンブリの受け入れ部として役立つ複数のレセプタクル５を有する。本発明によれば、レセプタクル５はｎ角形の基本形状を有し、ここでｎは４以上である。ここで好ましいのは、図１ｃ〜図１ｆに従う例示的な実施形態に示されるような六角形の基本形状（ｎ＝６）、または図１ｂに従う例示的な実施形態に示されるような基本形状であり、したがって基本的に六角形の基本形状でもあり、平面図で見ると、側壁５０の相互に正対する２つの頂部５２は凹状に湾曲している。しかしながら、原理的には、例えば図１ｇ〜図１ｊに示すように、レセプタクルの基本形状として正方形、長方形または菱形も考えられる。
【００６５】
レセプタクル５の基本形状に対応して、レセプタクル５は規則的な配列に互いに直接隣接して配置される。したがって、図１ｂでは、レセプタクル５の六角形のハニカム配列を見ることができる。しかしながら、原理的には、レセプタクル５は、例えば、行と該行に対して直交して延びる列に沿って互いにオフセットして配置することができる。
【００６６】
同一に形成されたレセプタクル５の開口幅は、容器がレセプタクル内に、比較的小さな遊びのみをもってかつ容器６とレセプタクル５の側壁５０〜５２との間に比較的狭い隙間を形成して受け入れられるように、該レセプタクルに受け入れられる容器の最大外径または最大外寸法に合わせられている。したがって、図１ｂに従う例示的な実施形態では、相互に正対する頂部５２間の距離は、レセプタクル５内に受け入れられる円筒容器６の直径よりもわずかに大きい。この拡大代は、後述するように、側壁５０上の案内および位置決めリブがレセプタクル５内に突出する距離によって実質的に予め定められている。
【００６７】
それにもかかわらず、保持構造１の輸送中にレセプタクル内の容器の望ましくない傾きまたは揺れを防止するために、ここでは、容器６が該容器６の軸線方向長さの大部分にわたってレセプタクル５内に受け入れられていると好ましい。ここで、レセプタクル５内の容器６の遊びは、以下でより詳細に説明するように、便宜的には、案内リブによって設定される。
【００６８】
レセプタクル５は、周状に形成された側壁５０によって形成されるが、これは、例えば、軽量化または材料節約のために、側壁５０の特定の部分に途切れ部または切欠きが形成される可能性を排除することを意図していない。側壁５０は、好ましくは、保持構造１のプレート状の上側から直角に突出する。射出成形に使用される金型からの保持構造１の脱型を容易にするために、側壁は、原理的には、半径方向内向きに、例えば、上側２の垂線に対して最大１°または最大２°の比較的小さい角度で傾斜させることもできる。
【００６９】
図１ｂに示すように、レセプタクル５の多角形の基本形状により、２つの直接隣接するレセプタクル５間にはいずれも共通の分離壁が形成され、該分離壁は互いに隣接する２つのレセプタクル５の側壁５０として同時に役立つ。これは、側壁５０が一体にかつ固体材料から形成され、したがって断面が矩形であることを意味する。これは、側壁５０の下端部または上端部にスロットまたは切欠きを設けることができる可能性を明確に排除するものではない。それにもかかわらず、いずれも共通の分離壁として使用される側壁は、それらの高さの少なくとも８０％が固体材料から形成されている。
【００７０】
図１ａと図１ｂとの直接の比較により、本発明の基本原理が明らかになり、それによれば、レセプタクル５は、互いに正対する２つの頂部５２の仮想接続線に直交する少なくとも１つの方向では拡大されているのに対し、レセプタクル５は該方向に直交する方向、つまりこの仮想接続線の方向では縮小されている。言い換えると、レセプタクル５は、平面図で見て、点対称または鏡面対称の仮想的な基本形状から始まり、第１の方向に、例えば図１ｃの対称軸線５３の方向に縮小されるとともにこの第１の方向に対して横方向の第２の方向に拡大され、その結果、レセプタクルの少なくとも１つの領域の隙間が拡幅され、レセプタクル５に受け入れられた容器のハンドリングを容易にする拡幅されたクリアランス５６を形成する。
【００７１】
図１ｂに従う例示的な実施形態では、レセプタクル５は、図の平面内において、左方向および右方向の両方に拡大されている。したがって、その寸法が２つの頂部５２に近い対応する小さなクリアランス５８よりも大幅に大きい２つの拡幅されたクリアランス５６が作られている。図８ａ〜図８ｃを参照して以下により詳細に説明するように、拡幅されたクリアランスは、容器６のハンドリング、さらには処理のために、例えばグリッパ、トング、持ち上げツール、プランジャなどのツールによって、レセプタクル５内に受け入れられた容器６にアクセスするのに役立つ。図１ｂから分かるように、前述の仮想接続線に直交する方向における、これらの拡幅されたクリアランス５６の寸法は、実際には、レセプタクル５に受け入れられた容器６の直径の大きさのオーダであり得る。
【００７２】
ここで、図１ｂに従う例示的な実施形態は、側壁５０が点状（平面図で見た場合）の収束領域に直接収束するのではなく、むしろ前述の仮想接続線に平行に延びる比較的短い接続ウェブ５５にいずれも合流するという事実に基づいている。ここで、それぞれのレセプタクル５の側壁５０の外端は、接続ウェブ５５と実質的に直角に交差し、したがって、図１ｂの２本の破線で示されるように、それぞれの接続ウェブ５５との交差点で互いに平行に延びている。本出願の意味において、２つの側壁５５は、レセプタクル５に受け入れられた容器６の両側に該容器のハンドリングのための２つの拡幅されたクリアランス５６を形成するために、実質的に無限小の収束角で短い接続ウェブに収束する。
【００７３】
図１ｂによれば、平面図で見ると、レセプタクル５は、前述の仮想接続線に対してかつ該仮想接続線に直交して延びる線に対しても鏡面対称に形成されている。当然ながら、２つの側壁５０の端は、接続ウェブ５５の無限小の長さを有するように、実質的に無限小の収束角で、すなわち、互いに実質的に接線アプローチで、点状の領域に直接収束することもできる。
【００７４】
図１ｂ〜図１ｆから容易に分かるように、少なくとも１つの拡幅されたクリアランス５６の寸法は、レセプタクル５に受け入れられた容器６とレセプタクル５の側壁５０〜５２との間の隙間の幅より大幅に大きい。レセプタクル５は六角形矩形配列に分散配置されているが、容器６間の拡幅されたクリアランス５６は周囲の容器６に非対称的に割り当てられている。
【００７５】
図１ｃは、本発明に従うレセプタクル５のさらなる可能な六角形の基本形状を示しており、２つの側壁５０，５１はいずれも、対称軸線５３の両側で点状（平面図で見た場合）のコーナ領域５４に鋭角αで収束し、該鋭角には以下が当てはまる：α＜５５°、より好ましくはα＜４５°、さらにより好ましくはα＜３０°。開口角または収束角αの具体的な大きさは、レセプタクル５に受け入れられた容器６の両側の拡幅されたクリアランス５６の所望の寸法に依存する。図１ｃから分かるように、２つの互いに対応する側壁５０または５１は、レセプタクル５に受け入れられた容器６の両側で、プレート状のまたは平面図で見たときに湾曲した接続ウェブ５２を介して互いに接続される。容器６は、側壁５０〜５２から離れて比較的狭いクリアランス５７の形成を伴う案内および位置決めリブ（図示せず）によってレセプタクル５内に配置され、一方、拡幅されたクリアランス５６は、適切に形成されたハンドリングツールによって容器６にアクセスするための十分なスペースを可能にする。
【００７６】
図１ｄは、本発明に従うレセプタクル５のさらなる可能な六角形の基本形状を示しており、対称軸線５３の両側の２つの側壁５０，５１はいずれも、対称軸線５３に平行に延びる比較的短い接続ウェブ５５に収束する。２つの収束する側壁５０，５１が接続ウェブを超えて延長された場合、それらは再び鋭角αを囲み、該鋭角には以下が当てはまる：α＜１１０°、より好ましくはα＜４５°、さらにより好ましくはα＜３０°。図１ｄから分かるように、２つの互いに対応する側壁５０または５１はいずれも、頂部５２において鈍角（１８０°−α）を囲む。平面図で見ると、２つの接続ウェブは、図１ｄに示すように直線状に延びるか、または凹に湾曲した輪郭を有することができる。
【００７７】
図１ｅは、本発明に従うレセプタクル５のさらなる可能な六角形の基本形状を示している。図１ｂ〜図１ｄとは異なり、ここでのレセプタクルは、前述の仮想接続線（図１ｅの破線で示された軸線５３に対応）に直交する方向にのみ拡大されるが、軸線５３の反対側では、基本的な形状は、正六角形の形状のそれに対応する。一方、平面図で見ると、軸線５３の左側に小さなクリアランス５７が形成されており、それらクリアランス５７の開口幅は容器６へのアクセスのためには十分ではなく、反対側、つまり軸線５３の右側の拡幅されたクリアランス５６の寸法は大幅により大きい。この寸法は、図１ｅに示すように、そこに受け入れられる容器６の直径よりも大きくすることができる。２つの収束する側壁５０，５１は、点状（平面図で見た場合）のコーナ領域５４に鋭角αで収束し、該鋭角には以下が当てはまる：α＜１１０°、より好ましくはα＜４５°、さらにより好ましくはα＜３０°。開口角または収束角αの具体的な大きさは、拡幅されたクリアランス５６の所望の寸法に依存する。
【００７８】
一般に、例えば、レセプタクル５の基本形状が辺長さａの正ｎ角形の形状に基づいている場合、前述の収束角は、１８０°−３６０°／ｎ、ただし（ｎ≧４）である２つの側壁の収束角よりもとにかく小さくなる。ハンドリングツールによる、拡幅されたクリアランス５６を介した容器へのアクセスを可能にするために、拡幅されたクリアランスの領域における収束角はいずれも、便宜的には、正ｎ角形の収束角よりも大幅に小さく、その結果、前述の好ましい角度範囲が得られるが、具体的な用途にも依存する。
【００７９】
図１ｅに従う基本形状のレセプタクル５を有する保持構造を形成するために、図１ｆに示すように、レセプタクルが補完されて配列が形成されている。より簡単に言えば、個々のレセプタクル５が軸線５３に直交する１方向のみに所定の拡大によって形成され、拡幅されたクリアランス５６が形成される場合、列（または行）に沿って互いにオフセットして配置されたレセプタクルは、反対方向に交互に拡大されている。言い換えると、レセプタクル５はいずれも、行および該行に直交して延びる列に沿って互いにオフセットして配置され、列または行に沿って互いに直接隣接して配置されたレセプタクル５はいずれも、列または行に関して鏡像式に配列されている。したがって、容器６は、軸線５３ａおよび５３ｂに沿ってオフセットされかつ拡幅されたクリアランス５６の交互に反対方向の配向を伴って互いに直接隣接して配置される。
【００８０】
本発明によれば、レセプタクル５の菱形の基本形状により、特に以下の利点、つまり、
−  ハンドリングツール、例えばグリッパによるハンドリングのための、レセプタクルに受け入れられた容器への片側または両側からの自由なアクセス、
−  従来の保持構造と比較して、最大２０％高い達成可能な包装密度、
−  より高い剛性（保持構造に垂直に力を加えるとき、例えば保持構造のレセプタクルに受け入れられた容器内に栓を配置する場合、保持構造の歪みが大幅に少なくなる）、
−  より経済的な製造／射出成形による製造中のサイクルタイムの短縮／より少ない材料消費、
−  金型の複雑さの軽減（より少ない投資コスト、より長い耐用年数）、
−  プラスチックからの射出成形による生産中、金型は金型の片側のみに少数の大きなコアを必要とするため、金型およびその中に生産される保持構造を非常に良好に冷却できる、
−  容器または基本形状が円形の基本形状と異なるより複雑に設計されたユニットもレセプタクルに受け入れることができ、例えば、いわゆるバイパスカープル（側方に突出するバイパスを有する）を受け入れることができる、
を達成することができる。
【００８１】
円筒形のカープルを保持するためのネストについては、同じベース面積のキャリアを使用すると、包装密度を最大５８％増加させることができることが示されている（所定のベース面積を有する保持構造上に保持できるカープルの数が４０カープルから６３カープルに増加すると同時にネストの重量が約１６０ｇから１１３ｇに減少し、ネストの同等の剛性が得られる）。
【００８２】
図１ｇ〜図１ｊは、四角形のレセプタクルのいくつかのさらなる例示的な基本形状を示している。
【００８３】
保持構造（いわゆるネスト）のためのいくつかの例示的な形状が、以下でより詳細に説明される。正四角形の形状から始まり、図１ｇに従うレセプタクルは対称軸線５３に平行な方向に縮小され、それに対応して該方向に直交する方向に拡大され、その結果、拡幅されたクリアランス５６の領域において側壁５１，５２の収束角は８０°となる。図１ｈに従う例では、前述の縮小および拡大はより顕著であり、その結果、拡幅されたクリアランス５６の領域において側壁５１，５２の収束角は６０°となる。図１ｉおよび図１ｊに従う例では、前述の縮小および拡大はより一層顕著であり、その結果、拡幅されたクリアランス５６の領域において側壁５１，５２の収束角は、それぞれ４０°および２０°となる。
【００８４】
図２ａ〜図２ｅは、平面図で見たときに、キャリア２上に規則的な配列で配置された菱形のレセプタクル５を有する保持構造１の詳細を示している。保持構造１のハンドリングを容易にするために、その上側はプレート状のキャリア２として形成され、該キャリア２は、便宜的には、丸みを帯びたコーナ４を有する。上側２のアクセス開口９は、保持構造１を把持するのに役立ち、該開口は、保持構造１の互いに対向する２つの側で互いにオフセットして設けられている。また、保持構造１を、対応する位置決めペグまたは突起を有する保持構造受け上に位置的に正確な方法で配向できる可能性を可能にするために、プレート状のキャリア２のいくつかの位置には、特に位置決め孔として役立つことができる貫通孔としての開口２５が形成されており、該保持構造受けは、例えば、保持構造に受け入れられる容器の挿入（ネスティング（ｎｅｓｔｉｎｇ））、充填、閉鎖または除去（ディネスティング（ｄｅｎｅｓｔｉｎｇ））の際に特に有用である。
【００８５】
図２ｃから分かるように、側壁１０ａ，１０ｂは、キャリア２の上側およびキャリア２の下側の両方から直角に突出している。
【００８６】
図２ａおよび図２ｂに示すように、側壁５０，５１は、角度αで収束するが、点状のコーナ領域ではなく、比較的短い接続ウェブ５５で収束する。側壁５０，５１の頂部５２は、弧状に凹に湾曲した輪郭を有することができる。
【００８７】
図２ａに示すように、レセプタクル５の図示された六角形配列では、４つの側壁５０，５１がいずれも比較的短い接続ウェブ５５に収束する。直接隣接するレセプタクル５の側壁５０，５１および接続ウェブ５５は、従来の保持構造の場合によくあるような二重壁構造を形成することなく、互いに一体に形成される。保持構造１の下側にも二重壁構造は存在せず、その結果、保持構造１は、側壁５０，５１および接続ウェブ５５の壁厚ならびに上側２の壁厚が小さい場合でも有利に高い固有の剛性を有する。
【００８８】
図２ｄによれば、保持部として作用する保持突起２２がレセプタクル５の下端部に設けられており、レセプタクル５内へ半径方向内向きに延びている。各レセプタクル５は、便宜的には、互いに正対して位置する２つの保持突起２２を有する。保持突起２２は、以下により詳細に説明するように、レセプタクル５に受け入れられた容器の軸線方向の可動性を形状適合により制限し、容器をレセプタクル５内に保持する。原理的には、個々の保持突起２２もこの目的のために十分であり、この突起は、周縁または実質的に周縁になるように設計することもできる。
【００８９】
直接隣接するレセプタクル５の側壁５０，５１および接続ウェブ５５はいずれも、レセプタクル５の軸線方向の全長にわたって互いに接続されるかまたは一体に形成される。 接続ウェブ５５および頂部５２の領域における点対称または実質的に星形の接続領域は、均一な力の流れを保証する。全体として、これらの対策は、保持構造１の固有の剛性を増大させる。
【００９０】
レセプタクル５のすべての側壁５０，５１に案内リブ１８が設けられ、該案内リブは、レセプタクル５内へ半径方向内向きに突出し、その結果、容器の側壁は、レセプタクル５内に挿入された際に案内リブ１８に直接支えられるとともに該案内リブによって案内される。案内リブ１８は、レセプタクル５の縦方向の実質全長にわたって延びている。案内リブ１８は、保持構造１の上側２からわずかな距離離れて始まり、そしていずれもレセプタクル５の下端部まで下方に延びることができ、より正確には、保持突起２２への移行領域までである。案内リブ１８の上端部には、案内リブ１８に対して鋭角に傾斜した挿入斜面１９を形成することができる（図２ｂを参照）。
【００９１】
図３ａ〜図３ｃは、例として、カープル６０が本発明に従う保持構造１上にどのように保持されるかを示している。カープル６０は、他の医薬容器と同様に、通常、円筒形の側壁６２と狭窄首部６５とによって形成された本体を有し、円筒形の側壁６２はテーパ状の肩部６４に隣接し、狭窄首部６５は拡幅された上縁部６６に合流し、該上縁部６６はその内部に形成された排出開口６８を有し、該排出開口６８は栓によって通常は閉鎖され、該栓は、かしめ装着される金属カバーによって上縁部６６に軸線方向で固定される隔壁などを有する。反対側の端部には、充填するため、またそれに引き続きプランジャを受け入れるための充填開口６７が位置している。カープル６０は、保持構造１のレセプタクル５に上下逆さまに受け入れられ、その肩部６４は、２つの保持突起２２上に直接支持され、拡幅された上縁部６６（ならびにそれに装着された栓および金属カバーがある場合は該栓および金属カバー）を有する端部は、２つの相互に対向する保持突起２２の間の隙間を通って延びてレセプタクル５の下側から自由にアクセス可能である。この状態では、充填開口６７を有する端部は、キャリア２の上側の上側壁１０ａの上縁部をわずかに超えてレセプタクル５から突出している。レセプタクル５内において、カープル６０は、レセプタクル５内の案内および位置決めリブ１８によって中心に位置決めされている。図３ｂによれば、カープル６０の両側に拡幅されたクリアランス５６が形成され、該拡幅されたクリアランス５６は、カープル６０のハンドリング（例えば把持や持上げなど）のために、レセプタクル５に受け入れられているカープル６０へのアクセスを可能にする。ここで、アクセスは、以下に説明するように、キャリア２の上側および／または下側から得ることができる。
【００９２】
図３ｃは、輸送および包装コンテナ９０内の保持構造１およびその上に保持された複数のカープル６０の組合せの配置をさらに示している。図３ｃによれば、輸送および包装コンテナ９０は、実質的に箱形またはトラフ形であり、底部９１と、そこから垂直に突出する周状に形成された側壁９２と、該側壁から実質的に直角に突出する段部９３と、周状に形成された上部側壁９４と、フランジのように形成された上縁９５と、を有する。保持構造１は、輸送および包装コンテナ９０の段部９３上に直接載置され、その結果、保持構造１は、輸送および包装コンテナ９０内に正確に位置決めされ、複数のカープル６０は、このようにして、規則的な配列で正確に規定された位置に配置かつ保持される。保護フィルム（図示せず）は、配送状態で上縁９５に適用される。
【００９３】
図４ａおよび図４ｂは、例として、より複雑に設計されたユニットが本発明に従う保持構造１にどのように保持されるかを示している。この例では、ユニットは、概して円筒形の基本形状の本体６ａと、該本体６ａから横方向に突出するがそれに接続されている側方延長部６ｂと、を有すると考えることができる。本体６ａは、例えば医薬容器、例えばカープルまたはシリンジ体を受け入れることができる。そのようなユニットは、例えば、単純な医療器具を構成することができ、例えば、注射ペンにおいてまたは糖尿病などの自己治療のための自動注射器として使用することができる。図４ａおよび図４ｂに示すように、側方延長部６ｂは、２つの拡幅されたクリアランス５６の１つをほぼ完全に満たす。それにもかかわらず、ユニットにそのハンドリングのためにアクセスするために、反対側の拡幅されたクリアランス５６を利用することができる。ここで、アクセスは、以下に説明するように、キャリア２の上側および／または下側から得ることができる。
【００９４】
図５ａおよび図５ｂは、本発明のさらなる実施形態に従う保持構造のレセプタクル内のバイパスカープルの保持を示す概略部分平面図および平面斜視図である。カープルは、円筒形の本体６ａと、レセプタクルの２つの拡幅されたクリアランス５６の１つを満たす側方延長部６ｂと、を有する。それにもかかわらず、バイパスカープルにそのハンドリングのためにアクセスするために、反対側の拡幅されたクリアランス５６を利用することができる。ここで、アクセスは、以下に説明するように、キャリア２の上側および／または下側から得ることができる。図５ｃは、この保持構造のレセプタクルをバイパスカープル無しで示している。
【００９５】
図５ａ〜図５ｃによれば、２つの側壁５０，５１は弧の形に湾曲しており、該２つの側壁５０，５１は、レセプタクルの２つのコーナ領域５４で接線方向に収束するか、または比較的小さな鋭角を囲むように収束し、該鋭角には以下が当てはまる：α＜５５°、より好ましくはα＜４５°、より一層好ましくはα＜３０°。側壁５０，５１の頂部は凹状に湾曲しており、その領域に案内および位置決めリブ１８が設けられている。図５ｂおよび図５ｃから分かるように、レセプタクルの周状の側壁の上縁部は、保持構造の上側に直交する方向で少なくとも１つの局所的な最大部５２ａと少なくとも１つの局所的な最小部５２ｂとを有する閉じられた滑らかな曲線を形成する。より正確には、側壁の上縁部はいずれも、４つの局所的な最大部５２ａおよび局所的な最小部５２ｂを有する。２つの局所的な最小部５２ｂは、拡幅されたクリアランス５６がそれぞれ割り当てられた領域に位置する。したがって、レセプタクルの上縁部は、非対称基本形状を有するバイパスカープルの角度配向を可能にする一種のスライドまたは傾斜面を形成する。第１の方向において、該第１の方向に直交する方向よりも幅広のバイパスカープルは、レセプタクル５への挿入中に、上方から垂直方向で自動的に案内されるとともに、バイパスカープルが幅広である第１の方向が、レセプタクル５が幅広であるレセプタクル５の方向と平行になるように自動的に配向されるように回転させられる。これにより、バイパスカープルの回転配向の自動的な角度決めが可能になる。
【００９６】
図６ａおよび図６ｂは、例として、シリンジ体６９が本発明に従う保持構造１上にどのように保持されるかを示している。シリンジ体６９は、通常、その遠位端に排出開口６８が形成された本体を有する。反対側の端部には、充填するため、またそれに引き続きプランジャを受け入れるための充填開口６７が位置している。シリンジ体６９は、保持構造１のレセプタクル５内に上下逆さまに受け入れられ、拡幅されたフランジ７０は、キャリア２の上側上の側壁５０，５１の上端部上に載置される。この状態では、シリンジ体６９は、レセプタクル５内の案内および位置決めリブ１８によって中心に位置決めされている。図６ｂによれば、拡幅されたクリアランス５６がカープル６０の両側に形成され、該拡幅されたクリアランス５６は、レセプタクル５に受け入れられているシリンジ体６９への、それらのハンドリング（例えば把持や持上げなど）のためのアクセスを可能にする。ここで、アクセスは、以下に説明するように、キャリア２の上側および／または下側から得ることができる。
【００９７】
図７ａおよび図７ｂは、例として、ガラスバイアル６１が本発明に従う保持構造１にどのように保持されるかを示している。バイアル６１は、通常、円筒形の側壁６２と狭窄首部とによって形成された本体を有し、該円筒形の側壁６２はテーパ状の肩部６４に隣接し、該狭窄首部は拡幅された上縁部６６に合流し、該上縁部６６はその内部に形成された排出開口６８を有し、該排出開口６８は栓などによって通常は閉鎖され、該栓などは、かしめ装着される金属カバーによって上縁部６６に軸線方向で固定される。バイアル６１の反対側の端部には、閉鎖された底部６３が形成されている。図７ｂによれば、バイアル６１は、保持構造１のレセプタクル５内に直立して受け入れられ、その際、底部６３は、２つの保持突起２２上に直接支持されてレセプタクル５の下側からアクセス可能である。この状態では、充填開口６７を有する端部は、キャリア２の上側上の上側壁５０，５１の上縁部をわずかに超えてレセプタクル５から突出している。レセプタクル５において、カープル６０は、レセプタクル５内の案内および位置決めリブ１８によって中心に位置決めされる。図７ａによれば、拡幅されたクリアランス５６がバイアル６１の両側に形成され、該拡幅されたクリアランス５６は、レセプタクル５に受け入れられているバイアル６１への、それらのハンドリング（例えば把持や持上げなど）のためのアクセスを可能にする。ここで、アクセスは、以下に説明するように、キャリア２の上側および／または下側から得ることができる。
【００９８】
図８ａから図８ｃを参照して、本発明に従う医薬容器のハンドリングの一例として、カープル６０に割り当てられた、保持構造１のレセプタクル５の拡幅されたクリアランス５６内に、本発明に従って引き込まれるツールによるカープル６０の持ち上げを組合せで以下に示す。図８ｂおよび図８ｃによれば、ハンドリング用のツール８０は、上端部に２つのハンドリングアーム８１が設けられた矩形の基体を有し、該ハンドリングアーム８１は、小さな鋭角で互いに向かって近づき、適切であれば、トングのように共通の転心周りに枢着することができる。ハンドリングアーム８１の間には凹部８３が形成されており、該凹部８３内へは、おそらくは金属カバーが固定された、カープル６０の拡幅した上縁部６６を突出させることができる。２つのハンドリングアーム８１間の距離は、それらの自由上端８２において、該距離がカープル６０の肩部６４の外径に実質的に対応するように選択される。ツール８０の幅は、ツール８０をレセプタクル５内に十分な程度まで挿入してカープル６０を持ち上げることができるように、レセプタクル５の寸法に合わせられる。
【００９９】
キャリア２の下側からレセプタクル５内にツール８０を挿入すると、図８ｂに示すように、ハンドリングアーム８１の自由上端８２が最終的にカープル６０の肩部６４と接触する。ツール８０をさらに持ち上げる間、図８ａおよび図８ｃに示すように、カープル６０はそれに伴い上昇位置６０’に持ち上げられる。この上昇状態６０’では、カープル６０は把持ツールによって把持して搬出することができ、またはカープル６０がまだレセプタクル５内に部分的に受け入れられている間にさらなる処理のため保持することができる。
【０１００】
修正されたツールを用いて、同じ方法で、カープル６０のすべての行もしくは列、または保持構造１に保持されたすべてのカープル６０を同時にハンドリング、例えば持ち上げたり、把持したりすることも可能である。そのように設計されたツールは、例えば、充填開口６７に栓を配置する場合のように、例えば、軸線方向下向きに作用する力がカープル６０に作用する場合に、カープル６０を機械的に支持するためにも使用でき、それにより、キャリア２の曲がりに対抗することができる。
【０１０１】
ツール８０のハンドリングアーム８１は、例えば、レセプタクル５内に受け入れられたカープル６０を把持し再び解放するために、トングのような協調した枢動を実行するように調整可能とすることもできる。
【０１０２】
保持構造１の固有の剛性は、特に、容器がレセプタクル５に受け入れられている間に容器をさらに加工することも可能にする。例えば、保持構造１がその下側の縁に沿って保持フレーム上に配置され、次いで閉鎖要素、例えば閉鎖栓が容器の端部に取り付けられ、該閉鎖要素が、好ましくは保持構造内に受け入れられたすべての容器または１行以上の容器に対して同時に、軸線方向に変位させられることが考えられる。ここで支配的な力は、保持構造によって十分な程度まで補償され、その結果、保持構造のわずかな曲がりしか発生せず（例えば、保持構造の長さにわたって最大でも２．０ｍｍ）、その結果、閉鎖要素の詰まりを回避することができる。
【０１０３】
図９ａから図９ｈを参照して、非円筒形の基本形状を有する容器または医療器具の挿入および保持について以下に説明する。全体的に参照符号６’で示され、図４ａおよび図４ｂの基礎としてすでに上記で取り上げられているこのような容器または医療器具の場合、以下では、該容器または医療器具が、円筒形または実質的に円筒形の基本形状を有する本体６ａと、そこから側方に突出する側方延長部６ｂと、を有すると仮定し、ここでは、単純化の理由から、該延長部が円筒形または実質的に円筒形の基本形状を有すると仮定するが、これは必ずしも必要ではない。本体６ａの下端部は参照符号６０ａで示されており、側方延長部６ｂの下端部は参照符号６０ｂで示されている。
【０１０４】
レセプタクル５の一般的な幾何学的形状は、図９ｇおよび図９ｈに示されており、図１ｅを参照してすでに説明されている。レセプタクルの周状に形成された側壁１０は、収束し、拡幅されたクリアランス５６を形成する２つの側壁部５０，５１を有し、図示の小さなクリアランス５７は、側壁部によってレセプタクルの反対側端部に形成される。これらの２つのクリアランス５６，５７は、図９ｆに示されるように、器具６’が最終的にレセプタクル内に挿入されたときに生じる。図９ｇによれば、周状に形成された側壁１０の上縁部は、レセプタクルの軸線方向におけるまたは図示しないキャリア（図２ａ参照）に直交する方向における局所的な最大部５０２と、同方向で見て局所的な最小部５０１と、を有する傾斜した設計である。傾斜５００は、側壁１０の上縁部において、最大部５０２または上側頂部と、最小部５０１または下側頂部との間に形成され、最小部５０１または下側頂部の方向に連続的に傾斜して延びる。
【０１０５】
図９ｈから分かるように、本体６ａの下端部６０ａを支持するための２つの保持突起２２が、図３ｂを参照して上述した方法で、側壁１０の下端部に設けられている。これらの保持突起２２は、レセプタクル５の、拡幅されたクリアランス５６の反対側に位置する側に位置している。
【０１０６】
レセプタクル５の基本形状は、器具６’をその中に受け入れることが可能なように器具６’の基本形状に合わせられており、その保持状態において、図９ｆに示すように、側方延長部６ｂは拡幅されたクリアランス５６内に受け入れられ、本体６ａはレセプタクルの、このクリアランス５６から離れる方を向く側に受け入れられる。器具６’は、図９ｈに示される保持突起によってのみ保持され得る。しかしながら、原理的には、代替的に、他のまたは追加の保持要素、特に側方延長部６ｂの下端部６０ｂを支持するために、拡幅されたクリアランスの領域に保持突起を設けることも可能である。
【０１０７】
原理的に、挿入のために、器具６’は、側方延長部６ｂが拡幅されたクリアランス５６と整列するように、上方からレセプタクル５内へ垂直に配向すべきである。それにより器具６’を問題なく挿入することができる。ここで、側壁１０の上縁部の挿入斜面（図示せず）は、器具６’をスムーズに案内し、レセプタクル５内での器具６’の適切な中心位置決めを保証することができる。
【０１０８】
しかしながら、器具６’のそのような最適な配向は、常に保証されるとは限らない。したがって、非円筒形の基本形状を有するそのような器具６’をロボットや把持アームなどによってハンドリングする場合、不正確さが発生して上方からレセプタクル５内への垂直な挿入がより困難になる可能性がある。
【０１０９】
そこで、完ぺきに配向されていない器具６’を、上方からレセプタクル５内に垂直に挿入する場合、まず、本体６ａの下端部６０ａおよび／または側方延長部６ｂの下端部６０ｂが、図９ｂに示すように、側壁１０の上縁部と接触する。器具６’の不正確な配向が、図９ｆに従う完ぺきな配向とそれほど大きく変わらないと仮定した場合、側方延長部６ｂの下端部６０ｂは、重力に従って、拡幅されたクリアランス５６の方向にスライドし、これにより、最終的に図９ｆに従う最適な配向が達成されるまで、器具６’の、その縦方向軸線周りの或る程度の回転変化がもたらされる。この目的のために、上方からレセプタクル５内へ垂直に挿入する間、器具６’が非回転式に堅固に保持され、ロボットや把持アームなどが器具６’の、その縦方向軸線周りの或る程度の回転を許可または積極的に駆動すると有利である。
【０１１０】
側壁１０の上縁部の傾斜５００によって、側方延長部６ｂの下端部６０ｂは、図９ｃから図９ｅに順に示すように、最終的に、重力に従って、側壁部５０，５１の収束領域の最小部５０１の方向にさらにスライドする。ここで、本体６ａも常に、最終的に図９ｆに従う状態に到達するまでレセプタクル５内にさらに係合する。この状態では、側方延長部６ｂは、拡幅されたクリアランス５６内で最大に係合する。
【０１１１】
上述のように、器具６’をレセプタクル５に挿入するために、器具６’が非回転式に堅固な方法でロボットや把持アームなどに保持されると有利である。代替的に、ロボットや把持アームなどは、側方延長部６ｂの、拡幅されたクリアランス５６との適切な配向を可能にするために、器具６’の、その縦方向軸線周りの或る程度の回転を可能にする。
【０１１２】
側方延長部６ｂを案内するために、傾斜５００は、必ずしも側壁１０の上縁部全体にわたって延びる必要はなく、特に、傾斜５００の下側頂部５０１に至るまでの全体にわたって延びる必要なない。むしろ、側壁１０の上縁部の適切な位置の特定の部分に傾斜５００が形成されていれば十分なこともある。
【０１１３】
拡幅されたクリアランスに向かって側方延長部を案内する前述の原理は、複数の側方延長部を有する同等の器具または容器にも適用でき、この場合、レセプタクルは、これらの側方延長部を受け入れるための対応する数の拡幅されたクリアランスを有する。したがって、例えば、さらなる実施形態に従う器具は、本体から、該本体の正対する側で側方に突出する２つの側方延長部を有することができる。そのような場合、レセプタクルは２つの拡幅されたクリアランスを有するように形成され、その際、２つの局所的な最大部および２つの局所的な最小部が、周状に形成された側壁の上縁部に形成され、そのような器具をレセプタクル内に挿入する際に、側方延長部が拡幅されたクリアランスに配向させられることを保証するために、その最大部と最小部との間に、上述した方法で器具部の下端部を案内するための傾斜が設けられる。
【０１１４】
保持構造１は、上述のように、例えばバイアルやカープルのような医薬容器を保管および輸送するのに役立つことができる。ハンドリングのために、保持構造１は、アクセス開口９を介して把持ツールなどによって把持および案内することができる。上述のように、医薬容器は、保持構造１によって保持しながらさらに加工（ｐｒｏｃｅｓｓｉｎｇ）または処理することができる。無菌輸送の場合、そのような保持構造は、例えば図３ｃを参照して上述した方法で、トラフ形の輸送または包装コンテナ（いわゆるタブ）内に、いわゆるネストとして保管することができる。輸送または包装コンテナは、ガス透過性プラスチックフィルムによって、特にプラスチック繊維のガス透過性交絡物から形成されたプラスチックフィルムによって閉鎖または密封することができ、特に、プラスチックフィルムはＴｙｖｅｋ（登録商標）フィルムである。
【０１１５】
さらなる実施形態によれば、保持構造１は、上述のように、例えばバイアルやカープルのような医薬容器を保管および輸送するのに役立つことができる。ハンドリングのために、保持構造１は、アクセス開口９を介して把持ツールなどによって把持および案内することができる。上述のように、医薬容器は、保持構造１によって保持しながらさらに加工または処理することができる。無菌輸送の場合、そのような保持構造は、例えば図３ｃを参照して上述した方法で、トラフ形の輸送または包装コンテナ（いわゆるタブ）内に、いわゆるネストとして保管することができる。輸送または包装コンテナは、ガス透過性プラスチックフィルムによって、特にプラスチック繊維のガス透過性交絡物から形成されたプラスチックフィルム、好ましくは高密度ポリエチレン繊維から形成されたプラスチックフィルムによって閉鎖または密封することができ、特に、プラスチックフィルムはＴｙｖｅｋ（登録商標）フィルムである。
【０１１６】
無菌輸送の場合、そのような輸送または包装コンテナは、同一タイプのさらなる輸送または包装コンテナと一緒にするのが適切な場合、少なくとも１つの無菌外装袋に収容され、周囲に対して無菌的に包装され得る。少なくとも１つの無菌外装袋は、ガス透過性部分を有するか、または完全にそのように形成することさえでき、その部分は、特に、例えばポリプロピレン繊維（ＰＰ）などのプラスチック繊維の交絡物によって形成される。
【０１１７】
上述のように、保持構造の設計は、特に、達成可能な包装密度に関して最適化されている。本発明に従う解決策では、レセプタクルの隣接する壁はいずれも組み合わされて、２つの隣接するレセプタクルによって共通に使用される壁が形成される。したがって、本発明によれば、ツール設計において冷却するのが困難な、薄壁で壊れやすいリブ状の外形を回避することができ、その結果、ツールの耐用年数が長くなる。さらに、生産プロセスのサイクルタイムを著しく短縮でき、単位生産費を削減することができる。
【０１１８】
従来のレセプタクルの丸い幾何学的形状は、本発明によれば、比較的小さな容積の容器（例えば最大１５ｍｌ）に対しては六角形または菱形の構造に、より大きな容積の容器（例えば１５ｍｌより大きい）に対しては４５°および９０°のレセプタクルの配置が可能な八角形の構造に変換される。したがって、非常に高い包装密度を実現することができる。それと同時に、プラスチックからの射出成形による生産用のツールの設計が大幅に単純化される。金型および材料の冷却は非常に単純な方法で実現でき、金型のコアは単純な、しかも標準化された方法で生産することができる。
【０１１９】
さらに、保持構造の設計は、剛性および軽量構造に関しても最適化されている。特に、隣接するレセプタクルによって共通して使用されかつ一体に形成された側壁を有するハニカム設計は、曲がり（保持面の総面積に対する、空の状態で測定された最大２ｍｍの曲がりが問題を有して実現され得た。）に対する要件に関して相当な利点を提供する。
【０１２０】
案内リブと組み合わせたレセプタクルの角度設計は、同時に、（例えば、オートクレーブのＥＴＯによる）蒸気滅菌のための優れたアクセス性を可能にする。
【０１２１】
水平（平坦）離型は、保持構造の脱型中の離型力に対する非常に有利な効果、したがって邪魔な隆起の形成のリスクひいては金型の摩耗の結果としての潜在的なパーティクルのリスクに対する非常に有利な効果を追加的に有する。加えて、保持構造それ自体の直接領域での離型はもはや行われない。
【０１２２】
離型面の最適化された位置によって、本発明に従う保持構造は、保持構造の脱型中だけでなく、その後の使用中においてもパーティクルの生成のリスクを著しく低減することができるため、特にクリーンルーム条件に完全に適していることが判明している。
【０１２３】
本発明の趣旨の範囲内の保持構造は、特にプラスチックからの射出成形によって、一体的に形成することができる。また、原理的には、プラスチックからの３Ｄ印刷による生産も考えられる。したがって、独立した特許請求項によって独立した発明として明示的に特許請求することもできる、本発明のさらなる態様は、例えばインハウスネットワークなどを介したまたはインターネットを介した送信のためでもある、コンピュータで読取り可能なまたはプロセッサで読取り可能なファイルに関し、該ファイルは、命令または制御コマンドであって、これらがコンピュータまたはプロセッサによってロードされた場合に、コンピュータまたはプロセッサによる制御下にある３Ｄ印刷機が、適切な材料から、特にプラスチック材料から、本出願で開示された保持構造を３次元形態に印刷するという作用をもたらす命令または制御コマンドを含む。
【０１２４】
好適な実施形態のリスト
実施形態１    医薬、医療もしくは美容用途のための物質のための複数の容器（６；６’；６０；６１）、またはそのような容器を有する複数の器具を同時に保持するための保持構造であって、上記容器を受け入れるための複数のレセプタクル（５）を有し、
上記レセプタクル（５）は、規則的な配列に配置されるとともに、周状に形成された側壁（１０）によって形成され、かつ
上記レセプタクル（５）は、上記容器または上記器具が上記レセプタクルに受け入れられている際に、該容器または器具の側壁とそれぞれの上記レセプタクルの上記側壁（１０）との間に環状の隙間が形成されるように、容器または器具（６；６’；６０；６１）の外形に合わせられている、保持構造において、
平面図で見て、上記レセプタクルは、点対称または鏡面対称の仮想的な基本形状から始まり、第１の方向（５３）に縮小されるとともに該第１の方向（５３）に対して横方向の第２の方向に拡大され、その結果、上記隙間が上記レセプタクルの少なくとも１つの領域において拡幅され、上記レセプタクル（５）に受け入れられた容器または器具（６；６’；６０；６１）のハンドリングのための拡幅されたクリアランス（５６）が形成されていることを特徴とする、保持構造。
【０１２５】
実施形態２    上記第１の方向（５３）での上記レセプタクル（５）の幅が上記第２の方向での上記仮想的な基本形状の幅よりも小さくなるとともに、上記第１の方向（５３）に対して横方向の上記第２の方向での上記レセプタクルの幅が上記第２の方向での上記仮想的な基本形状の幅よりも大きくなるように、上記レセプタクルは、上記第１の方向（５３）に縮小されるとともに該第１の方向（５３）に対して横方向の上記第２の方向に拡大されている、実施形態１記載の保持構造。
【０１２６】
実施形態３    上記レセプタクルは、六角形の基本形状を有するか、または六角形の基本形状から派生しており、上記第２の方向での上記レセプタクル（５）の上記幅は、上記第１の方向（５３）での上記レセプタクル（５）の上記幅よりも少なくとも３０％だけ、より好ましくは少なくとも２２％だけ、より一層好ましくは少なくとも１７％だけ大きい、実施形態２記載の保持構造。
【０１２７】
実施形態４    上記第１の方向（５３）に沿って互いに対向して位置する、上記レセプタクルの頂部（５２）に近い隙間の幅は無限小であるか、または上記第２の方向に沿って互いに対向して位置する、上記レセプタクルのコーナ領域または端部領域（５４）に近い隙間の幅よりも小さい、実施形態２または３記載の保持構造。
【０１２８】
実施形態５    上記拡幅されたクリアランス（５６）は、コーナ領域によって形成され、該コーナ領域は、上記拡幅されたクリアランス（５６）を形成するために、平面図で見たときに、点（５４）に向かってまたは短い接続ウェブ（５５）に向かって収束角（α）で収束する２つの側壁（５０，５１）によって形成され、上記収束角には以下が当てはまる：０°＜α＜１１０°、より好ましくは０°＜α＜４５°、より一層好ましくは０°＜α＜３０°、実施形態２または３記載の保持構造。
【０１２９】
実施形態６    収束する上記側壁（５０，５１）は、上記レセプタクルの縦方向にいずれも延びかつ上記それぞれのレセプタクルのコーナ領域に配置された直線状のコーナ領域（５４）に収束するか、または
収束する上記側壁（５０，５１）はいずれも、上記短い接続ウェブ（５５）と一緒に、上記レセプタクルの上記縦方向にいずれも延びかつ上記それぞれのレセプタクルのコーナ領域に配置されている直線状のコーナ領域を形成する、実施形態５記載の保持構造。
【０１３０】
実施形態７    側壁（１０；５０，５１）が、上記複数のレセプタクルのうち直接隣接するレセプタクル（５）の各対間の共通の分離壁として形成されている、実施形態１から６までのいずれか１記載の保持構造。
【０１３１】
実施形態８    それぞれの上記共通の分離壁の高さ（Ｈ）は、上記対をなす上記直接隣接するレセプタクル（５）の軸線方向長さに実質対応し、上記それぞれの共通の分離壁は、上記高さ（Ｈ）の少なくとも８０％にわたって固体材料から形成されている、実施形態７記載の保持構造。
【０１３２】
実施形態９    断面で見て、上記分離壁はいずれも一体にかつ途切れ部を有することなく形成されている、実施形態８記載の保持構造。
【０１３３】
実施形態１０    平面図で見て、上記レセプタクル（５）はいずれも対称軸線（５３）に関して鏡面対称に形成されており、少なくとも１つの上記拡幅されたクリアランス（５６）は、上記対称軸線に直交する方向に形成され、上記レセプタクルの上記側壁と該レセプタクルに受け入れられた容器または器具との間に大幅により小さな開口幅を有する小さなクリアランス（５７）は、上記対称軸線の延在方向に形成される、実施形態１から９までのいずれか１記載の保持構造。
【０１３４】
実施形態１１    平面図で見て、上記レセプタクルの上記側壁の２つの頂部（５２）は、上記対称軸線（５３）上にあり、または上記対称軸線（５３）は、平面図で見て、平坦化されたもしくは対称的に凹状に湾曲した側壁（５２）と直角に交差する、実施形態１０記載の保持構造。
【０１３５】
実施形態１２    平面図で見て、収束する上記側壁（５０，５２）はいずれも、弧の形で凹状に湾曲している、実施形態１１記載の保持構造。
【０１３６】
実施形態１３    上記レセプタクルは（５）いずれも、互いに対向するコーナ領域（５４）または収束する上記側壁（５０，５１）の短い接続ウェブ（５５）に形成された、ハンドリングのための２つの拡幅されたクリアランス（５６）を有する、実施形態１０から１２までのいずれか１記載の保持構造。
【０１３７】
実施形態１４    上記レセプタクル（５）は同一の基本形状であるとともに、ハンドリングのための拡幅されたクリアランス（５６）をいずれも有し、該拡幅されたクリアランス（５６）は、コーナ領域（５４）に向けてまたは短い接続ウェブ（５５）に向けて収束するとともに収束する上記側壁（５０，５１）によって形成されており、上記レセプタクル（５ａ，５ｂ）はいずれも、行と該行に直交して延びる列とに沿って互いにオフセットして配置されており、上記列または上記行に沿って互いに直接隣接して配置された上記レセプタクルはいずれも、上記列または上記行に関して鏡像式に配置されている（図１ｆ）、実施形態１から９までのいずれか１記載の保持構造。
【０１３８】
実施形態１５    平面図で見て、上記レセプタクル（５）はいずれも、六角形の基本形状を有し、該六角形の基本形状は、平面図で見て、収束する上記側壁（５０，５１）に比べて著しく短い２つの平坦な接続ウェブ（５２，５５）を有する、実施形態１から１４までのいずれか１記載の保持構造。
【０１３９】
実施形態１６    上記保持構造（１）の上側を形成するプレート状のキャリア（２）をさらに備えており、上記側壁（１０，５１，５２）および上記レセプタクル（５）は、上記プレート状のキャリア（２）から垂直に突出している、実施形態１から１５までのいずれか１記載の保持構造。
【０１４０】
実施形態１７    周状の上記側壁（１０）の上縁部は、上記保持構造の上記上側に垂直な方向で少なくとも１つの局所的な最大部（５２ａ；５０２）と局所的な最小部（５２ｂ；５０１）とを有する閉じられた滑らかな曲線を形成し、それぞれの上記局所的な最小部（５２ｂ；５０１）は、拡幅されたクリアランス（５６）がそれぞれ割り当てられた領域に位置している、実施形態１６記載の保持構造。
【０１４１】
実施形態１８    上記側壁（１０）上には、上記レセプタクル（５）の縦方向に延びる案内リブ（１８）が形成されており、好ましくは、上記案内リブの上端部には該案内リブ（１８）に対して傾斜している挿入傾斜（１９）が形成されており、上記案内リブ（１８）は、それぞれの上記レセプタクルの幾何学的中心（Ｍ）に向かう方向で上記レセプタクル（５）内に内向きに突出している、実施形態１から１７までのいずれか１記載の保持構造。
【０１４２】
実施形態１９    上記レセプタクル（５）の下端部には、該レセプタクル内の上記容器または上記器具を保持するための少なくとも１つの保持部（２２）が設けられており、好ましくは、上記保持部は、関連する上記レセプタクル（５）内へ半径方向内向きにいずれも突出する保持突起（２２）として形成されている、実施形態１から１８までのいずれか１記載の保持構造。
【０１４３】
実施形態２０    上記保持構造（１）は、プラスチックから射出成形によって一体に形成されている、実施形態１から１９までのいずれか１記載の保持構造。
【０１４４】
実施形態２１    実施形態１から２０までのいずれか１記載の保持構造（１）と、該保持構造に保持される、医薬、医療もしくは美容用途のための物質のための複数の容器（６；６’；６０；６１）、またはそのような容器を有する複数の器具との組合せからなる輸送ユニットであって、上記容器または上記器具は、上記レセプタクル（５）内の少なくとも特定の部分に受け入れられている、輸送ユニット。
【０１４５】
実施形態２２    上記容器（６０，６１）は、円筒形設計であり、狭窄首部（６５）を有する上端部と、上記狭窄首部（６５）に隣接するとともに上記容器の円筒形の側壁（６２）に合流する肩部（６４）とを有しており、上記レセプタクル（５）の下端部の保持突起（２２）間の開口幅は、上記容器が上記レセプタクル内に上下逆さまに受け入れられている際に、上記容器の上記上端部が上記保持突起の間を貫通して延び、上記レセプタクル（５）内の上記容器の軸線方向の可動性を制限するために上記容器の上記肩部が上記保持突起（２２）上に直接支持されるように、上記容器の上記上端部の外径に合わせられている、実施形態２１記載の輸送ユニット。
【０１４６】
実施形態２３    上記容器または上記器具（６０；６１；６’）は、非円筒形の基本形状を有し、特に、円筒形の本体（６ａ）から側方に突出する側方延長部（６ｂ）を有する、実施形態２１記載の輸送ユニット。
【０１４７】
実施形態２４    周状の上記側壁（１０）の上縁部は、上記保持構造の上側に垂直な方向で局所的な最大部（５０２）と局所的な最小部（５０１）とを有する閉じられた滑らかな曲線を形成し、上記局所的な最小部（５０１）は、上記側方延長部（６ｂ）を受け入れるための拡幅されたクリアランス（５６）を形成するための、それぞれのレセプタクル（５）の互いに対向する２つの上記側壁（５０，５１）の収束領域に位置する、実施形態２３記載の輸送ユニット。
【０１４８】
実施形態２５    医薬、医療もしくは美容用途のための物質のための複数の容器（６０，６１）のための、またはそのような容器を有する複数の器具のための輸送または包装コンテナであって、箱形設計の輸送または包装コンテナ（９０）において、
上記複数の容器または器具を上記輸送または包装コンテナ内に保持するために、実施形態１から２０までのいずれか１記載の保持構造（１）が、該保持構造に保持された上記容器と一緒に箱形の上記輸送または包装コンテナ内に受け入れられていることを特徴とする、輸送または包装コンテナ。
【０１４９】
実施形態２６    上記輸送または包装コンテナは、ガス透過性プラスチックフィルムによって、特にプラスチック繊維のガス透過性交絡物から形成されたプラスチックフィルムによって閉鎖または密封されており、特に、上記プラスチックフィルムはＴｙｖｅｋ（登録商標）フィルムである、実施形態２５記載の輸送または包装コンテナ。
【０１５０】
実施形態２７    医薬、医療もしくは美容目的のための複数の容器の無菌輸送のための、またはそのような容器を有する複数の器具の無菌輸送のための無菌包装構造であって、実施形態２１から２４までのいずれか１記載の少なくとも１つの輸送ユニットを有するか、または実施形態２５または２６記載の少なくとも１つの輸送または包装コンテナを有するとともに該輸送または包装コンテナに受け入れられた上記容器または器具を有する、無菌包装構造において、
上記少なくとも１つの輸送ユニットまたは上記少なくとも１つの輸送または包装コンテナは、少なくとも１つの無菌外装袋に受け入れられ、周囲に対して無菌的に包装されており、好ましくは、上記少なくとも１つの無菌外装袋は、特にプラスチック繊維の、例えばポリプロピレン繊維（ＰＰ）などの交絡物によって形成されるガス透過性部分を有する、無菌包装構造。
【符号の説明】
【０１５１】
１  保持構造
２  プレート状のキャリア
４  丸みを帯びたコーナ領域
５  （多角形設計の）レセプタクル
５ａ  レセプタクル
５ｂ  レセプタクル
６  容器
６’  医療器具
６ａ  本体
６０ａ  本体６ａの下端部
６ｂ  本体６ａの側方延長部
６０ｂ  側方延長部６ｂの下端部
９  アクセス開口
１０  側壁
１０ａ  キャリア２より上方の側壁部
１０ｂ  キャリア２より下方の側壁部
１８  案内および位置決めリブ
１９  案内および位置決めリブ１８の挿入傾斜
２０  さらなる案内および位置決めリブ
２２  保持突起
２５  開口
４０  中央接続部
４１  中央接続部の上縁部
４２  開口
４３  キャビティ
５０  第１の側壁
５０ａ，５０ｂ  第１の側壁
５１  第２の側壁
５１ａ，５１ｂ  第２の側壁
５２  レセプタクル５の最小横断寸法を有する位置の頂部
５２ａ  局所的な最大部
５２ｂ  局所的な最小部
５３  対称軸線
５３ａ，５３ｂ  対称軸線
５４  収束領域
５４ａ，５４ｂ  収束領域
５５  接続ウェブ
５６  ハンドリングのための拡幅されたクリアランス
５６ａ，５６ｂ  ハンドリングのための拡幅されたクリアランス
５７  小さなクリアランス
５８  小さなクリアランス５７の収束領域
５８ａ，５８ｂ  小さなクリアランス５７ａまたは５７ｂの収束領域
５００  傾斜
５０１  最小部
５０２  最大部
６０  カープル／容器
６０’  上昇位置にあるカープル
６１  バイアル／容器
６２  円筒形の側壁
６３  底部
６４  肩部
６５  狭窄首部
６６  上縁部
６７  充填開口
６８  排出開口
６９  シリンジ体
７０  シリンジ体６９のフランジ
８０  ハンドリングのためのツール
８１  ハンドリングアーム
８２  ハンドリングアーム８１の先端
８３  凹部
９０  輸送および包装コンテナ
９１  輸送および包装コンテナ９０の底部
９２  輸送および包装コンテナ９０の下部側壁
９３  段部
９４  輸送および包装コンテナ９０の上部側壁
９５  上部側壁９４の上端のフランジ
α  収束角
Ｍ  レセプタクル５または受け入れられた容器の幾何学中心
従来技術に関して
１００  保持構造
１０１  レセプタクル
１０２  円形の外形を有する容器
１０３  側壁
１０４  クリアランス
１０５  共通のコーナ点に収束する一対の側壁１０３のうちの第１の側壁
１０６  共通のコーナ点に収束する一対の側壁１０３のうちの第２の側壁
Ｍ’  レセプタクル１０１の幾何学中心
ＭＳ  垂直二等分線
θ  第１の側壁１０５と第２の側壁１０６とが収束する位置の角度
【図１ａ】
2020081872.tif 000003
【図１ｂ】
2020081872.tif 000004
【図１ｃ】
2020081872.tif 000005
【図１ｄ】
2020081872.tif 000006
【図１ｅ】
2020081872.tif 000007
【図１ｆ】
2020081872.tif 000008
【図１ｇ】
2020081872.tif 000009
【図１ｈ】
2020081872.tif 000010
【図１ｉ】
2020081872.tif 000011
【図１ｊ】
2020081872.tif 000012
【図２ａ】
2020081872.tif 000013
【図２ｂ】
2020081872.tif 000014
【図２ｃ】
2020081872.tif 000015
【図２ｄ】
2020081872.tif 000016
【図２ｅ】
2020081872.tif 000017
【図３ａ】
2020081872.tif 000018
【図３ｂ】
2020081872.tif 000019
【図３ｃ】
2020081872.tif 000020
【図４ａ】
2020081872.tif 000021
【図４ｂ】
2020081872.tif 000022
【図５ａ】
2020081872.tif 000023
【図５ｂ】
2020081872.tif 000024
【図５ｃ】
2020081872.tif 000025
【図６ａ】
2020081872.tif 000026
【図６ｂ】
2020081872.tif 000027
【図７ａ】
2020081872.tif 000028
【図７ｂ】
2020081872.tif 000029
【図８ａ】
2020081872.tif 000030
【図８ｂ】
2020081872.tif 000031
【図８ｃ】
2020081872.tif 000032
【図９ａ】
2020081872.tif 000033
【図９ｂ】
2020081872.tif 000034
【図９ｃ】
2020081872.tif 000035
【図９ｄ】
2020081872.tif 000036
【図９ｅ】
2020081872.tif 000037
【図９ｆ】
2020081872.tif 000038
【図９ｇ】
2020081872.tif 000039
【図９ｈ】
2020081872.tif 000040
【外国語明細書】
2020081872.tif 000041
2020081872.tif 000042
2020081872.tif 000043
2020081872.tif 000044
2020081872.tif 000045
2020081872.tif 000046
2020081872.tif 000047
2020081872.tif 000048
2020081872.tif 000049
2020081872.tif 000050
2020081872.tif 000051
2020081872.tif 000052
2020081872.tif 000053
2020081872.tif 000054
2020081872.tif 000055
2020081872.tif 000056
2020081872.tif 000057
2020081872.tif 000058
2020081872.tif 000059
2020081872.tif 000060
2020081872.tif 000061
2020081872.tif 000062
2020081872.tif 000063
2020081872.tif 000064
2020081872.tif 000065
2020081872.tif 000066
2020081872.tif 000067
2020081872.tif 000068
2020081872.tif 000069
2020081872.tif 000070
2020081872.tif 000071
2020081872.tif 000072
2020081872.tif 000073
2020081872.tif 000074
2020081872.tif 000075
2020081872.tif 000076
2020081872.tif 000077
2020081872.tif 000078
2020081872.tif 000079
2020081872.tif 000080
2020081872.tif 000081
2020081872.tif 000082
2020081872.tif 000083
2020081872.tif 000084
2020081872.tif 000085
2020081872.tif 000086
2020081872.tif 000087
2020081872.tif 000088
2020081872.tif 000089
2020081872.tif 000090
2020081872.tif 000091
2020081872.tif 000092
2020081872.tif 000093
2020081872.tif 000094
2020081872.tif 000095
2020081872.tif 000096
2020081872.tif 000097
2020081872.tif 000098
2020081872.tif 000099
2020081872.tif 000100
2020081872.tif 000101
2020081872.tif 000102
2020081872.tif 000103
2020081872.tif 000104
2020081872.tif 000105
2020081872.tif 000106
2020081872.tif 000107
2020081872.tif 000108
2020081872.tif 000109
2020081872.tif 000110
2020081872.tif 000111
2020081872.tif 000112
2020081872.tif 000113
2020081872.tif 000114
2020081872.tif 000115
2020081872.tif 000116
2020081872.tif 000117
2020081872.tif 000118